(57)【特許請求の範囲】
【請求項１】
ワイヤレスデバイス（１６）に対し構成された物理レイヤリソースのうちの少なくとも１つで送信される非周期的なチャネル状態情報リファレンス信号である非周期的ＣＳＩ−ＲＳを、前記ワイヤレスデバイス（１６）において受信する方法であって、
前記ワイヤレスデバイス（１６）が構成されるダウンリンク制御チャネルセットにおいて非周期的ＣＳＩ−ＲＳが送信済みであることを指し示すダウンリンク制御チャネルメッセージをあるサブフレームにおいて前記ワイヤレスデバイス（１６）が受信する場合に、前記ダウンリンク制御チャネルセットに対応する物理リソースブロックであるＰＲＢ内で前記サブフレームにおいて前記非周期的ＣＳＩ−ＲＳを受信しないことと、
あるサブフレームにおける前記非周期的ＣＳＩ−ＲＳの存在が物理ダウンリンク制御チャネルを介して前記ワイヤレスデバイス（１６）へ指し示される場合であって、且つ、前記ダウンリンク制御チャネルセットにおいて前記非周期的ＣＳＩ−ＲＳが送信済みであることを指し示すダウンリンク制御チャネルメッセージを前記ワイヤレスデバイス（１６）が受信しない場合に、前記サブフレームにおいて、前記ダウンリンク制御チャネルセットに対応する物理リソースブロックであるＰＲＢ内で、前記非周期的ＣＳＩ−ＲＳを受信することと、を含む、
方法。
【請求項２】
請求項１の方法であって、前記非周期的ＣＳＩ−ＲＳは、動的にトリガされた場合に前記物理レイヤリソース内で送信されることができる、方法。
【請求項３】
請求項１〜２のいずれか１項の方法であって、
前記ダウンリンク制御チャネルセットについて前記ワイヤレスデバイス（１６）を構成するためのシグナリングを受信すること（Ｓ１３８）と、
前記物理ダウンリンク制御チャネル上で、前記非周期的ＣＳＩ−ＲＳの存在のインジケーションを受信すること（Ｓ１４２）と、
のうちの少なくとも一方をさらに含む、方法。
【請求項４】
請求項３の方法であって、前記非周期的ＣＳＩ−ＲＳの存在の前記インジケーションは、サブフレーム又はスロットのうちの一方に前記非周期的ＣＳＩ−ＲＳが存在することを指し示す、方法。
【請求項５】
請求項３〜４のいずれか１項の方法であって、前記非周期的ＣＳＩ−ＲＳの存在の前記インジケーションは、予め決定される数のＯＦＤＭシンボルに前記非周期的ＣＳＩ−ＲＳが存在することを指し示す、方法。
【請求項６】
請求項１〜５のいずれか１項の方法であって、前記ワイヤレスデバイス（１６）がサブフレームにおいて前記ダウンリンク制御チャネルメッセージを受信する場合に、前記ワイヤレスデバイス（１６）は、前記サブフレームにおいて、前記ダウンリンク制御チャネルメッセージを搬送するリソースエレメントであるいずれのＲＥ内でも前記非周期的ＣＳＩ−ＲＳを受信しない、方法。
【請求項７】
請求項１〜６のいずれか１項の方法であって、サブフレームにおける前記非周期的ＣＳＩ−ＲＳの存在が前記物理ダウンリンク制御チャネルにより指し示され、且つ、前記ワイヤレスデバイス（１６）が前記ダウンリンク制御チャネルメッセージを受信しない場合に、前記ワイヤレスデバイス（１６）は、前記サブフレームにおいて、前記ワイヤレスデバイス（１６）に対し構成された前記ダウンリンク制御チャネルセットに対応する全てのリソースエレメントであるＲＥ内で前記非周期的ＣＳＩ−ＲＳを受信する、方法。
【請求項８】
請求項１〜７のいずれか１項の方法であって、フレーム構造タイプ２について、前記ワイヤレスデバイス（１６）は、前記非周期的ＣＳＩ−ＲＳをダウンリンクパイロット時間スロットであるＤｗＰＴＳにおいて受信しない、方法。
【請求項９】
請求項１〜８のいずれか１項の方法であって、前記ワイヤレスデバイス（１６）は、前記非周期的ＣＳＩ−ＲＳの送信がＳｙｓｔｅｍＩｎｆｏｒｍａｔｉｏｎＢｌｏｃｋＴｙｐｅ１メッセージと衝突することになるサブフレームにおいて前記非周期的ＣＳＩ−ＲＳを受信しない、方法。
【請求項１０】
請求項１〜９のいずれか１項の方法であって、前記ワイヤレスデバイス（１６）は、前記サブフレームにおいて、前記ワイヤレスデバイス（１６）に対し構成される前記ダウンリンク制御チャネルセットに対応する物理リソースブロックペア内で前記非周期的ＣＳＩ−ＲＳを受信しない、方法。
【請求項１１】
請求項１〜１０のいずれか１項の方法であって、前記ワイヤレスデバイス（１６）は、非周期的トリガを使用する前記非周期的ＣＳＩ−ＲＳのトリガに関連付けられる前記ダウンリンク制御チャネルメッセージを搬送する物理リソースブロックペア内で前記非周期的ＣＳＩ−ＲＳを受信しない、方法。
【請求項１２】
請求項１〜１１のいずれか１項の方法であって、前記ワイヤレスデバイス（１６）は、非周期的トリガを使用する前記非周期的ＣＳＩ−ＲＳのトリガに関連付けられる前記ダウンリンク制御チャネルメッセージを搬送するリソースエレメントであるいずれのＲＥ内でも前記非周期的ＣＳＩ−ＲＳを受信しない、方法。
【請求項１３】
請求項１〜１２のいずれか１項の方法であって、ＬＴＥ（ｌｏｎｇ  ｔｅｒｍ  ｅｖｏｌｕｔｉｏｎ）通信システムにおいて、前記ダウンリンク制御チャネルメッセージは、拡張物理ダウンリンク制御チャネルであるＥＰＤＣＣＨのメッセージである、方法。
【発明の詳細な説明】
【技術分野】
【０００１】
本開示は、非周期的なチャネル状態情報リファレンス信号（ＣＳＩ−ＲＳ）を構成するための、具体的には、ダウンリンク制御チャネルと非周期的なチャネル状態情報リファレンス信号（ＣＳＩ−ＲＳ）との間の衝突を回避するための、方法、ネットワークノード、ワイヤレスデバイス、コンピュータプログラム及びそのコンピュータプログラムプロダクトに関する。
【背景技術】
【０００２】
ＬＴＥ（Ｌｏｎｇ−Ｔｅｒｍ  Ｅｖｏｌｕｔｉｏｎ）は、ダウンリンクにおいて直交周波数分割多重（ＯＦＤＭ）を、アップリンクにおいて離散フーリエ変換（ＤＦＴ）拡散ＯＦＤＭを使用する。基本的なＬＴＥのダウンリンク物理リソースを、よって、図１に示したような時間−周波数グリッドとして見ることができ、各リソースエレメントは１つのＯＦＤＭシンボルインターバルの期間中の１つのＯＦＤＭサブキャリアに相当する。［3GPP  TS  36.211  Technical  Specification  Group  Radio  Access  Network;  Evolved  Universal  Terrestrial  Radio  Access  (E-UTRA);  Physical  channels  and  modulation  (Release  13);  V13.0.0  (2016-01)］
【０００３】
時間ドメインにおいて、ＬＴＥのダウンリンク送信は、１０ｍｓの無線フレームへと編成され、各無線フレームは、図２に示したように、長さＴｓｕｂｆｒａｍｅ＝１ｍｓで等サイズの１０個のサブフレームからなる。
【０００４】
さらに、ＬＴＥにおけるリソース割り当ては、典型的にはリソースブロックの観点で記述され、１リソースブロックは、時間ドメインにおける１スロット（０．５ｍｓ）及び周波数ドメインにおける１２個の連続したサブキャリアに相当する。リソースブロックは、周波数ドメインにおいて、システム帯域幅の一端から０で始まる形で付番される。ダウンリンク送信は動的にスケジューリングされ、即ち、各サブフレームにおいて、基地局は、その時点のダウンリンクサブフレームにおいてどの端末がデータの送信先であり及びどのリソースブロック上でデータが送信されるかを指し示す制御情報を送信する。この制御シグナリングは、典型的には、各サブフレーム内の最初から１、２、３又は４個のＯＦＤＭシンボルにおいて送信される。３つのＯＦＤＭシンボルが制御用に使用されるダウンリンクシステムが図３に示されている。
【０００５】
物理チャネル及び送信モード
ＬＴＥでは、複数の物理ダウンリンク（ＤＬ）チャネルがサポートされている。ダウンリンクの物理チャネルは、上位レイヤから発する情報を搬送するリソースエレメントのセットに対応する。以下は、ＬＴＥにおいてサポートされる物理チャネルのいくつかである：
−  物理ダウンリンク共有チャネル、ＰＤＳＣＨ
−  物理ダウンリンク制御チャネル、ＰＤＣＣＨ
−  拡張物理ダウンリンク制御チャネル、ＥＰＤＣＣＨ
ＰＤＳＣＨは主に、ユーザトラフィックデータ及び上位レイヤメッセージを搬送するために使用される。ＰＤＳＣＨは、図３に示すように制御領域外のＤＬサブフレームで送信される。ＰＤＣＣＨ及びＥＰＤＣＣＨの双方は、物理リソースブロック（ＰＲＢ）割り当て、変調レベル／符号化方式（ＭＣＳ）、及び送信機で使用されるプリコーダ等のダウンリンク制御情報（ＤＣＩ）を搬送するために使用される。ＰＤＣＣＨは、ＤＬサブフレームにおける最初の１〜４個のＯＦＤＭシンボル、即ち制御領域で送信され、ＥＰＤＣＣＨはＰＤＳＣＨと同じ領域で送信される。
【０００６】
同様に、以下の物理ＵＬチャネルがサポートされている。
−  物理アップリンク共有チャネル、ＰＵＳＣＨ
−  物理アップリンク制御チャネル、ＰＵＣＣＨ
ＬＴＥでは、ＤＬデータスケジューリング及びアップリンク（ＵＬ）データスケジューリングに対して異なるＤＣＩフォーマットが定義されている。例えばＤＣＩフォーマット０及び４はＵＬデータスケジューリングに使用され、ＤＣＩフォーマット１、１Ａ、１Ｂ、１Ｃ、１Ｄ、２、２Ａ、２Ｂ、２Ｃ、２Ｄ［3GPP  TS  36.212  Technical  Specification  Group  Radio  Access  Network;  Evolved  Universal  Terrestrial  Radio  Access  (E-UTRA);  Multiplexing  and  channel  coding  (Release  13);  V13.0.0  (2016-01)］はＤＬデータスケジューリングに使用される。ＤＬにおいて、どのＤＣＩフォーマットがデータスケジューリングに使用されるは、ＤＬ送信方式及び／又は送信されるメッセージのタイプに関連付けられる。ＬＴＥにおいてサポートされる送信方式の一部を以下に示す。
−  単一アンテナポート
−  送信ダイバーシティ（ＴｘＤ）
−  開ループ空間多重化
−  閉ループ空間多重化
−  最大８レイヤの送信
【０００７】
ＰＤＣＣＨは常に単一アンテナポート方式又は送信ダイバーシティ方式で送信されるが、ＰＤＳＣＨはいずれの送信方式も使用できる。ＬＴＥにおいて、ユーザ機器（ＵＥ）又はワイヤレスデバイス（ＷＤ）は、送信方式ではなく送信モード（ＴＭ）で構成される。ＬＴＥでは、ＰＤＳＣＨに対して１０個のＴＭ、即ちＴＭ１〜ＴＭ１０がこれまでに定義されている。各ＴＭは、プライマリ送信方式及びバックアップ送信方式を定義する。バックアップ送信方式は、単一アンテナポート又はＴｘＤである。以下は、ＬＴＥにおけるいくつかのプライマリ送信方式のリストである：
−  ＴＭ１：単一アンテナポート、ポート０
−  ＴＭ２：ＴｘＤ
−  ＴＭ３：開ループＳＭ
−  ＴＭ４：閉ループＳＭ
−  ＴＭ９：最大８レイヤの送信、ポート７〜１４
−  ＴＭ１０：最大８レイヤの送信、ポート７〜１４
ＴＭ１〜ＴＭ６では、チャネル状態情報フィードバック及びＷＤでの復調の双方についてのリファレンス信号として、セル固有のリファレンス信号（ＣＲＳ）が使用される。一方、ＴＭ７〜ＴＭ１０では、ワイヤレスデバイス固有の復調リファレンス信号（ＤＭＲＳ）が復調用リファレンス信号として使用される。
【０００８】
ここで使用される“ワイヤレスデバイス”又は“ユーザ機器（ＵＥとも呼ばれる）”という用語は、セルラ又はモバイル通信システムにおいてネットワークノード及び／又は別のワイヤレスデバイスと通信するいかなる種類のワイヤレスデバイスを示してもよい。ワイヤレスデバイスの例は、ターゲットデバイス、デバイスツーデバイス（Ｄ２Ｄ）ワイヤレスデバイス、マシンタイプワイヤレスデバイス又はマシンツーマシン（Ｍ２Ｍ）通信可能なワイヤレスデバイス、ＰＤＡ、ｉＰＡＤ、タブレット、モバイルフォン、スマートフォン、ラップトップ内蔵機器（ＬＥＥ）、ラップトップ搭載機器（ＬＭＥ）、ＵＳＢドングル等である。
【０００９】
拡張物理ダウンリンク制御チャネル（ＥＰＤＣＣＨ）
無線リンクを介してユーザへ送信されるメッセージを、制御メッセージ又はデータメッセージとして大きく分類することができる。制御メッセージは、システムの適切な動作及びシステム内の各ワイヤレスデバイスの適切な動作を容易にするために使用される。制御メッセージは、ＷＤからの送信電力、及び、ワイヤレスデバイスによるデータの受信又はワイヤレスデバイスによるデータの送信がなされることになるＰＲＢのシグナリング等の機能を制御するためのコマンドを含み得るはずである。
【００１０】
Ｒｅｌ−１１以降のワイヤレスデバイスの場合、ワイヤレスデバイスを、ＰＤＣＣＨに加えてＥＰＤＣＣＨをモニタリングするように構成することができる［3GPP  TS  36.211，  3GPP  TS  36.213  Technical  Specification  Group  Radio  Access  Network;  Evolved  Universal  Terrestrial  Radio  Access  (E-UTRA);  Physical  layer  procedures  (Release  13);  V13.0.1  (2016-01)］。
【００１１】
このように、拡張物理ダウンリンク制御チャネル（ＥＰＤＣＣＨ）がＲｅｌ−１１において導入されており、その中で、Ｒｅｌ−１１よりも古いリリースのワイヤレスデバイス向けの制御情報を含み得る最初の１〜４個のシンボルはＰＲＢペアから除かれるものの、データ領域内の２個、４個又は８個のＰＲＢペアがＥＰＤＣＣＨ送信を排他的に含むために予約される。図４の説明図を参照されたい。
【００１２】
したがって、ＰＤＳＣＨ送信と時間多重化されるＰＤＣＣＨと異なり、ＥＰＤＣＣＨは、ＰＤＳＣＨ送信と周波数多重化される。なお、ＬＴＥ  Ｒｅｌ−１１では、ＰＲＢペア内でのＰＤＳＣＨと何らかのＥＰＤＣＣＨ送信との多重化はサポートされていない。ＰＤＣＣＨに対するＥＰＤＣＣＨの利点は、制御チャネル容量の増加をサポートできること、制御チャネルリソースの空間再利用の向上をサポートできること、ワイヤレスデバイス固有のプリコーディングをサポートできること等である。
【００１３】
さらに、２つのモードのＥＰＤＣＣＨ送信、即ち局所（localized）ＥＰＤＣＣＨ送信及び分散（distributed）ＥＰＤＣＣＨ送信がサポートされている。
【００１４】
分散送信において、ＥＰＤＣＣＨは、Ｄ＝２、４又は８として、最大Ｄ個のＰＲＢペアのリソースエレメントへマッピングされる。このようにして、ＥＰＤＣＣＨメッセージについて周波数ダイバーシティを達成できる。分散送信の概念の説明のために図５を参照されたい。
【００１５】
局所送信において、ＥＰＤＣＣＨは１つ又は２つのＰＲＢペアのみにマッピングされる。集約レベルが低い場合、１つのＰＲＢペアのみが使用される。ＥＰＤＣＣＨの集約レベルがＥＰＤＣＣＨを１つのＰＲＢペアに収めるには大きすぎる場合、第２のＰＲＢペアも使用される。局所送信の説明のために図６を参照されたい。
【００１６】
拡張制御チャネルエレメント（ＥＥＣＣＥ）の物理リソースへのマッピングを容易にするために、各ＰＲＢペアは１６個の拡張リソースエレメントグループ（ＥＥＲＥＧ）へ分割され、各ＥＥＣＣＥはＮＥＲＥＧＥＣＣＥ＝４個又はＮＥＲＥＧＥＣＣＥ＝８個のＥＲＥＧへさらに分割される。通常のサイクリックプレフィクス（ＣＰ）及び通常のサブフレームの場合、３ＧＰＰ  ＴＳ  ３６．２１３に記述されているいくつかの条件が満たされない限り、ＮＥＲＥＧＥＣＣＥ＝４である。拡張ＣＰの場合及びフレーム構造２（時分割複信（ＴＤＤ））についてのいくつかのスペシャルサブフレームにおいて、ＮＥＲＥＧＥＣＣＥ＝８が使用される。その結果、ＥＰＤＣＣＨは、集約レベルに応じて４個又は８個のＥＲＥＧの倍数にマッピングされる。概して、ＥＰＤＣＣＨはＬ個のＥＣＣＥからなり、Ｌは集約レベルである。ＬＴＥでサポートされているＬの様々な値は、１、２、４、８、１６、３２である（許容される正確な集約レベルは、ＥＰＤＣＣＨの２つのモードのうち選択されたモード及びその他の要因に依存する）。
【００１７】
ＥＰＤＣＣＨに属するＥＲＥＧは、単一のＰＲＢペア（局所送信で典型的なように）又は複数のＰＲＢペア（分散送信で典型的なように）に存在する。ＰＲＢペアのＥＲＥＧへの分割を図７に示す。
【００１８】
ＥＰＤＣＣＨは、図７に示す復調のための復調リファレンス信号（ＤＭＲＳ）を使用する。ＰＲＢペアごとに２４個のリソースエレメント（ＲＥ）がＤＭＲＳ用に予約されている。分散ＥＰＤＣＣＨの場合、通常のサイクリックプレフィクス（ＣＰ）のために、アンテナポート１０７及び１０９として知られる２つのＤＭＲＳアンテナポートが各ＰＲＢペアに存在する。これら２つのポートはＰＲＢペア内の全ての分散ＥＰＤＣＣＨメッセージに使用され、２倍のアンテナダイバーシティを提供する（ネットワークノードが各ポートを別々のアンテナから送信することを選択した場合であり、これは実装上の選択である）。局所ＥＰＤＣＣＨの場合、最大４つのアンテナポート１０７〜１１０があり、各ポートは当該ＰＲＢペア内の１つのＥＰＤＣＣＨメッセージのみに使用される。
【００１９】
ポート１０７はＰＲＢペア内の２４個のＲＥのうち１２個のＲＥを使用し、ポート１０９は他の１２個のＲＥを使用する。したがって、ポート１０７及び１０９に属するＤＭＲＳ  ＲＥは、ＰＲＢペアにおいて時間／周波数多重化される。一方、ポート１０７及び１０８（並びに、ポート１０９／１１０）は同一のＲＥを使用するが、同一サブキャリア上の４つのＲＥの上に直交カバーコード（ＯＣＣ）を適用することにより符号多重化される。直交性を生じさせるためにポート１０７〜１１０に使用されるＯＣＣは以下の表に示される（３ＧＰＰ  ＴＳ  ３６．２１１より）。
【００２０】
【表１】
0006952769.tif 000002
【００２１】
拡張ＣＰの場合、符号多重化ＤＭＲＳのみが使用され、ポート１０７及び１０８について長さ２のＯＣＣは３ＧＰＰ  ＴＳ  ３６．２１１からの以下の表に示される。
【００２２】
【表２】
0006952769.tif 000003
【００２３】
分散ＥＰＤＣＣＨを受信すると、ワイヤレスデバイスは、各ＤＭＲＳ  ＲＥにおけるチャネルを推定した後、各サブキャリア内とＰＲＢペア内の対応する３つのサブキャリア内とでＯＣＣを使用して、アンテナポート１０７及び１０９に対する各チャネル推定値を取得する。これらのチャネル推定値は、ＥＰＤＣＣＨを復調する際に使用される。
【００２４】
チャネル状態情報リファレンス信号（ＣＳＩ−ＲＳ）
ＬＴＥリリース１０では、チャネル状態情報の推定のために新たなチャネル状態情報リファレンス信号（ＣＳＩ−ＲＳ）が導入された。ＣＳＩ−ＲＳに基づくＣＳＩフィードバックは、以前のリリースで使用されていたセル固有のリファレンス信号（ＣＲＳ）に基づくＣＳＩフィードバックよりもいくつかの点で有利である。第１に、ＣＳＩ−ＲＳはデータ信号の復調には使用されず、したがって同じ密度を必要としない（即ち、ＣＳＩ−ＲＳのオーバヘッドは実質的に少ない）。第２に、ＣＳＩ−ＲＳは、ＣＳＩフィードバック測定値を構成するはるかに柔軟な手段を提供する（例えば、測定対象とするＣＳＩ−ＲＳリソースをワイヤレスデバイス別に構成できる）。
【００２５】
ＬＴＥでは、非ゼロ電力（ＮＺＰ）ＣＳＩ−ＲＳ及びゼロ電力（ＺＰ）ＣＳＩ−ＲＳという２種類のＣＳＩ−ＲＳが定義されている。ＮＺＰ  ＣＳＩ−ＲＳは、ワイヤレスデバイスがネットワークノードに対するダウンリンクチャネルを推定するためにネットワークノード（又はｅＮＢ）により送信される。ＺＰ  ＣＳＩ−ＲＳの場合、１つ以上のＣＳＩ−ＲＳリソースがネットワークノードにより割り当てられるが、リソース上では何も送信されない。ＺＰ  ＣＳＩ−ＲＳは、隣接セルにおいてワイヤレスデバイスがより適切なチャネル推定を実行できるように、隣接セルへの干渉を低減するために使用され得る。
【００２６】
Ｒｅｌ−１３のワイヤレスデバイスの場合、サポートされるアンテナポートの数は１、２、４、８、１２及び１６である。Ｒｅｌ−１４では、アンテナポートの数が２０、２４、２８、３２を含むように増加した。図８は、１つのＰＲＢ内におけるＣＳＩ−ＲＳ割り当てに使用可能なＲＥを示す。最大４０個のＲＥを、ＣＳＩ−ＲＳのために構成することができる。ＣＳＩ−ＲＳは、全てのＰＲＢにわたり送信される。なお、ＣＳＩ−ＲＳ信号はシステム帯域幅の全てのＲＢで送信されるため、同一のリソース割り当てが全てのＲＢで繰り返される。Ｒｅｌ−１４  ＬＴＥでは、ＣＳＩ−ＲＳを密度を減少させて送信することもできる。即ち、異なる複数のポートに対応するＣＳＩ−ＲＳ信号が、Ｎ個のＰＲＢごとに送信される。
【００２７】
ＣＳＩ−ＲＳは、ＣＳＩ−ＲＳサブフレームとも呼ばれる特定のサブフレーム上で周期的に送信され得る。ＣＳＩ−ＲＳサブフレーム構成は、サブフレーム周期とサブフレームオフセットとからなる。その周期は、５ｍｓ、１０ｍｓ、２０ｍｓ、４０ｍｓ及び８０ｍｓで構成可能である。ＣＳＩ−ＲＳ構成は、３ＧＰＰ  ＴＳ３６．２１１の表６．１０．５．２−１で規格化されているＣＳＩ−ＲＳリソース構成と、３ＧＰＰ  ＴＳ３６．２１１の表６．１０．５．３−１で規格化されているＣＳＩ−ＲＳサブフレーム構成とからなる。
【００２８】
コードブックベースのチャネル状態情報（ＣＳＩ）の推定及びフィードバック
ＴＭ９及びＴＭ１０といった閉ループ複数入力複数出力（ＭＩＭＯ）送信方式では、ワイヤレスデバイスは、ダウンリンクＣＳＩを推定してｅＮＢにフィードバックする。発展型ノードＢ（ｅＮＢ）基地局は、フィードバックＣＳＩを使用してダウンリンクデータをＷＤへ送信する。ＣＳＩは、送信ランクインジケータ（ＲＩ）、プリコーディング行列インジケータ（ＰＭＩ）及びチャネル品質インジケータ（ＣＱＩ）からなる。プリコーディング行列のコードブックは、ワイヤレスデバイスにより、ある基準、例えばワイヤレスデバイスのスループットに基づいて、推定されたダウンリンクチャネルとコードブック内のプリコーディング行列との間の最善のマッチングを見出すために使用される。ＴＭ９及びＴＭ１０の場合、チャネルは、ダウンリンクで送信される非ゼロ電力ＣＳＩリファレンス信号（ＮＺＰ  ＣＳＩ−ＲＳ）に基づいて推定される。
【００２９】
ＣＱＩ／ＲＩ／ＰＭＩは、併せて、ダウンリンクチャネル状態をＷＤへ提供する。チャネルＨｎの推定値が直接フィードバックされないため、これを暗黙的ＣＳＩフィードバックとも呼ぶ。ＣＱＩ／ＲＩ／ＰＭＩは、構成される報告モードに応じて、広帯域（即ち、全送信帯域）又はサブ帯域（即ち、全送信帯域の一部）とすることができる。
【００３０】
ＬＴＥ  Ｒｅｌ−１３では、２種類のＣＳＩ報告、即ちクラスＡ及びクラスＢが導入された［3GPP  TS  36.213  Technical  Specification  Group  Radio  Access  Network;  Evolved  Universal  Terrestrial  Radio  Access  (E-UTRA);  Physical  layer  procedures  (Release  13);  V13.0.1  (2016-01)］。クラスＡのＣＳＩ報告では、ワイヤレスデバイスは、８個、１２個又は１６個のアンテナポートを有する構成された１次元又は２次元アンテナアレイ用の新たなコードブックに基づいてＣＳＩを測定して報告する。ランクＲｅｌ−１３以前のＣＳＩ報告と同様に、ＣＳＩは、ランクインジケータ（ＲＩ）、ＰＭＩ及び１つ又は複数のＣＱＩからなる。ＬＴＥ  Ｒｅｌ−１４において、クラスＡのＣＳＩ報告は、２０個、２４個、２８個及び３２個のポートへ拡張されている。
【００３１】
クラスＢのＣＳＩ報告では、１つのシナリオ（“クラスＢ  Ｋ＞１”と呼ばれる）において、単一のＣＳＩプロセスでワイヤレスデバイスに対して複数（即ち、Ｋ＞１個）のＣＳＩ−ＲＳリソースを構成できる。各リソースが複数のアンテナポート（即ち、１個、２個、４個又は８個のポート）に対するものであってもよい。各ＣＳＩ−ＲＳリソースは、プリコーディング済みＣＳＩ−ＲＳ信号に関連付けられてもよい。ワイヤレスデバイスは、全てのＣＳＩ−ＲＳリソースに関連するダウンリンクＣＳＩを測定し、全てのＣＳＩのうち最善のＣＳＩを選択する。その後、ワイヤレスデバイスは選択されたＣＳＩ−ＲＳリソースインジケータ（ＣＲＩ）及び対応するＣＳＩを報告する。別のシナリオ（“クラスＢ  Ｋ＝１”とも呼ばれる）では、ワイヤレスデバイスは１つのＣＳＩ−ＲＳリソースで構成され、ＣＳＩ−ＲＳ信号は、アップリンク（ＵＬ）測定値等のワイヤレスデバイスに関するいくつかの事前情報に基づいて、特にワイヤレスデバイスに対してプリコーディング又は“ビームフォーミング”されてもよい。ワイヤレスデバイスは、次に、ＣＳＩ−ＲＳリソース上で受信したＣＳＩ−ＲＳ信号に基づいてダウンリンクチャネルを測定し、２個、４個又は８個のポートに対する新たなコードブックに基づいて推定ＣＳＩをｅＮＢにフィードバックする。
【００３２】
ＣＳＩプロセス
ＬＴＥリリース１１では、各ＣＳＩプロセスがＮＺＰ  ＣＳＩ−ＲＳリソース及びＣＳＩ干渉測定（ＩＭ）リソースに関連付けられるように、ＣＳＩプロセスの概念が導入された。ＣＳＩ−ＩＭリソースは、ＺＰ  ＣＳＩ−ＲＳリソース及びＺＰ  ＣＳＩ−ＲＳサブフレーム構成により定義される。ＴＭ１０のワイヤレスデバイスは、上位レイヤによりサービングセルごとに１つ以上（最大４つ）のＣＳＩプロセスで構成されることができ、ワイヤレスデバイスにより報告される各ＣＳＩがＣＳＩプロセスに対応する。ワイヤレスデバイスが各送信ポイント（ＴＰ）に関連するＣＳＩを測定してｅＮＢにフィードバックする多地点協調（ＣｏＭＰ）送信をサポートするために、複数のＣＳＩプロセスが導入された。受信したＣＳＩに基づいて、ｅＮＢは、ＴＰのうちの１つからワイヤレスデバイスへデータを送信すると決定してもよい。
【００３３】
ＣＳＩ報告
ＣＳＩ報告については、周期的レポート及び非周期的（即ち、ｅＮＢによりトリガされる）レポートの双方がサポートされ、これらはそれぞれＰ−ＣＳＩ及びＡ−ＣＳＩとして知られる。ＣＳＩプロセスでは、ワイヤレスデバイスが測定を実行するＣＳＩ−ＲＳポートのセットが構成される。これらのＣＳＩ−ＲＳポートを、５ｍｓ、１０ｍｓ、２０ｍｓ等の周期で周期的に送信されるように構成することができる。
【００３４】
制御シグナリングのためのＬＴＥの仕組み
ＬＴＥ制御シグナリングを多様な手法で搬送することができ、ＰＤＣＣＨ又はＰＵＣＣＨ上で制御情報を搬送すること、ＰＵＳＣＨ内に組み込むこと、メディアアクセス制御（ＭＡＣ）制御エレメント（“ＭＡＣ  ＣＥ”）内で搬送すること、又は無線リソース制御（ＲＲＣ）シグナリング内で搬送すること、を含む。これらの仕組みの各々は、特定の種類の制御情報を搬送するようにカスタマイズされる。
【００３５】
ＰＤＣＣＨ又はＰＵＣＣＨで搬送されるか又はＰＵＳＣＨに組み込まれる制御情報は、３ＧＰＰ  ＴＳ  ３６．２１１、３６．２１２及び３６．２１３に記述されているように、ダウンリンク制御情報（ＤＣＩ）及びアップリンク制御情報（ＵＣＩ）等の物理レイヤに関連する制御情報である。ＤＣＩは、概して、何らかの物理レイヤ機能を実行するようにワイヤレスデバイスに命令し、その機能を実行するために必要な情報を提供するために使用される。ＵＣＩは、概して、ハイブリッド自動再送要求肯定応答（ＨＡＲＱ−ＡＣＫ）、スケジューリング要求（ＳＲ）、ＣＱＩ、ＰＭＩ、ＲＩを含むチャネル状態情報（ＣＳＩ）及び／又はＣＲＩ等の必要な情報をネットワークに提供する。ＵＣＩ及びＤＣＩは、サブフレームごとに送信されることができ、そのため、高速フェージング無線チャネルと共に変化し得るパラメータを含む急速に変化するパラメータをサポートするように設計されている。ＵＣＩ及びＤＣＩは、全てのサブフレームで送信され得るため、所与のセルに対応するＵＣＩ又はＤＣＩは、制御オーバヘッドの量を制限する目的で数十ビット程度になる傾向がある。
【００３６】
ＭＡＣ  ＣＥで搬送される制御情報は、３ＧＰＰ  ＴＳ  ３６．３２１に記述されている通り、アップリンク共有トランスポートチャネル及びダウンリンク共有トランスポートチャネル（ＵＬ−ＳＣＨ及びＤＬ−ＳＣＨ）上のＭＡＣヘッダで搬送される［3GPP  TS  36.321  Technical  Specification  Group  Radio  Access  Network;  Evolved  Universal  Terrestrial  Radio  Access  (E-UTRA);  Medium  Access  Control  (MAC)  protocol  specification  (Release  13);  V13.2.0  (2016-06)］。ＭＡＣヘッダは固定的なサイズを有しないため、ＭＡＣ  ＣＥにおける制御情報を必要な時に送信することができ、必ずしも固定的なオーバヘッドを表すわけではない。さらに、ＭＡＣ  ＣＥは、ＵＬ共有チャネル（ＳＣＨ）トランスポートチャネル又はＤＬ−ＳＣＨトランスポートチャネルで搬送されるため、より大きな制御ペイロードを効率的に搬送することができる。それらは、リンク適応、ＨＡＲＱからの恩恵を受け、ターボ符号化されることができる（Ｒｅｌ−１３では、ＵＣＩ及びＤＣＩをターボ符号化することはできない）。ＭＡＣ  ＣＥは、タイミングアドバンスの維持又はバッファ状態報告等の固定されたパラメータセットを使用する反復的なタスクを実行するために使用されるが、これらのタスクは一般にサブフレーム毎のＭＡＣ  ＣＥの送信を要しない。結果として、ＰＭＩ、ＣＱＩ、ＲＩ及び競合解決アイデンティティ（ＣＲＩ）等の高速フェージング無線チャネルに関連するチャネル状態情報は、Ｒｅｌ−１３ではＭＡＣ  ＣＥ内で搬送されない。
【００３７】
レートマッチング
ＬＴＥでは、仮想循環バッファが、バッファ内のビットを選択し又は削ることにより何らかの使用可能な符号レートをマッチングさせるために使用される。サブフレームにおいてワイヤレスデバイスのために使用可能なＲＥの数は、種々のリファレンス信号の有無により変化する場合があるため、このレートマッチングは有用である。例えばＣＳＩ−ＲＳを用いて構成されたサブフレームにおけるＰＤＳＣＨのためのＲＥの数は、ＣＳＩ−ＲＳを用いずに構成されたサブフレームにおける数と異なるであろう。この場合の使用可能なＰＤＳＣＨ  ＲＥの変動を適合させるために、レートマッチングを使用できる。なお、この場合、ｅＮＢ及びワイヤレスデバイスの双方が、使用可能なＰＤＳＣＨ  ＲＥの正確な数及びＲＢにおけるＲＥの場所を認識している。ＰＤＳＣＨが送信されるＲＥとＰＤＳＣＨが受信され且つ復号されるＲＥとの間に不一致が生じる可能性があるため、このＰＤＳＣＨからＲＥへのマッピング情報は正確なＰＤＳＣＨ復号にとって重要である。
【００３８】
ＤＣＩ  ２ＤにおけるＰＱＩビット
ＬＴＥ  Ｒｅｌ−１１では、所与のサービングセルについて送信モード１０で構成されたワイヤレスデバイスは、そのワイヤレスデバイス及び所与のサービングセルを対象とするＤＣＩフォーマット２Ｄを用いて検出されるＰＤＣＣＨ／ＥＰＤＣＣＨに従ってＰＤＳＣＨを復号するように、上位レイヤシグナリングにより最大４つのパラメータセットを用いて構成可能である。これは、ｅＮＢがチャネル状態に基づいて異なる時間に異なる送信ポイント（ＴＰ）を介してＰＤＳＣＨをワイヤレスデバイスへ送信する場合があるためである。異なるＴＰについて、異なるリファレンス信号が構成されてもよい。ワイヤレスデバイスは、検出されるＰＤＣＣＨ／ＥＰＤＣＣＨ内の“ＰＤＳＣＨ  ＲＥマッピング及び疑似コロケーションインジケータ”（ＰＱＩ）フィールド（ＴＳ  ３６．２１３の表７．１．９−１から抜粋された表１において定義される）の値に従うパラメータセットを正確なＰＤＳＣＨ  ＲＥマッピングを判定するためのＤＣＩフォーマット２Ｄで使用する必要がある。動的ポイント選択（ＤＰＳ）は多地点協調（ＣｏＭＰ）の一種であり、ＣｏＭＰにおいて、データ送信は単一のＴＰから行われ、所与の時間に送信を行うＴＰが動的に変化し得る。
【００３９】
ワイヤレスデバイスがＰＤＳＣＨを受信することのできる状況でＤＰＳを伴うＣｏＭＰをサポートするために、ＤＣＩフォーマット２Ｄにおける２つの“ＰＱＩ”ビットがＰＤＳＣＨマッピング及び擬似コロケーション（ＱＣＬ）情報の動的シグナリングのために利用可能である。この動的シグナリングは、送信パラメータ及びワイヤレスデバイスのＱＣＬの前提を調整して、ＤＰＳにおけるＰＤＳＣＨ送信の送信元である潜在的に動的に変化するＴＰに整合するようにすることを目標とする。ＱＣＬ情報は、ＱＣＬ特性の観点において、ＤＭＲＳに基づくＰＤＳＣＨ送信の復調を補助するために、ワイヤレスデバイスがＣＲＳ及びＣＳＩ−ＲＳを活用する可能性を提供する。ＱＣＬ特性は、チャネルのどういった特性が異なるアンテナポート間に関連してワイヤレスデバイスにより前提とされ得るかを明確にし、ＴＭ１０用のためのものである。
【００４０】
ＰＤＳＣＨ  ＲＥマッピングを判定するためのパラメータは、各パラメータセットについて上位レイヤシグナリングを介して構成され、以下を含む
−  ＣＲＳポートの数
−  ＣＲＳ周波数シフト（ＦｒｅｑＳｈｉｆｔ）
−  ＺＰ  ＣＳＩ−ＲＳ構成
【００４１】
【表３】
0006952769.tif 000004
【００４２】
間引き
間引き（Puncturing）は、ワイヤレスデバイスがサブフレーム内の特定のリファレンス信号の存在を認識しない場合に、利用可能なＲＥの変動に対処する別の方法であり得る。例えば、ＣＳＩ−ＲＳがＬＴＥ  Ｒｅｌ−１０で導入されており、Ｒｅｌ−８のワイヤレスデバイスは、それを理解していない。そのため、Ｒｅｌ−８のワイヤレスデバイスがスケジューリングされる場合、サブフレーム内のＰＤＳＣＨはＣＳＩ−ＲＳで構成され、ワイヤレスデバイスは実際はＣＳＩ−ＲＳで構成されているＲＥでＰＤＳＣＨが送信されると考える。この場合、ｅＮＢは、それらのＲＥにおけるＰＤＳＣＨ送信をミュートするか、あるいはＲＥ内のＰＤＳＣＨ信号を“間引き”、ワイヤレスデバイスは受信したＣＳＩ−ＲＳをＰＤＳＣＨとして処理する。当然、復号性能は低下する。しかし、ＲＥの数が少ない限り、低下は依然として許容可能であり得る。
【００４３】
非周期的ＣＳＩ−ＲＳ
ＬＴＥ  Ｒｅｌ−１４では、非周期的ＣＳＩ−ＲＳが導入されることが合意されている［Chairman’s  notes，3GPP  RAN1#86，  section7.2.4.1.2，  August  22-26、2016，  Gothenburg，  Sweden］。非周期的ＣＳＩ−ＲＳでは、ＣＳＩ−ＲＳリソースのみがワイヤレスデバイスに対して構成され、従来のＣＳＩ−ＲＳ構成と異なり、それに関連するサブフレーム構成がない。新たな“Ａｐｅｒｉｏｄｉｃ  ＣＳＩ−ＲＳ−Ｒｅｓｏｕｒｃｅ−Ｃｏｎｆｉｇ  ＩＥ”が無線リソース制御（ＲＲＣ）構成において定義されることが合意された。Ｋ＝｛１，２，…，８｝個のＣＳＩ−ＲＳリソースと共にワイヤレスデバイスを予め構成することができることがさらに合意された。
【００４４】
非周期的ＣＳＩ−ＲＳの動機付けの１つは、ワイヤレスデバイスがダウンリンクＣＳＩを測定してフィードバックする目的で、ＣＳＩ−ＲＳの送信を任意のサブフレームにおいて発生させることができる点であり、これは予め設定されるサブフレームのセットに限定されなくてよい。別の動機付けは、多数のワイヤレスデバイスが存在する場合にＣＳＩ−ＲＳのオーバヘッドを低減できることである。例えば多数のワイヤレスデバイスが存在する場合、ＷＤ固有の方法で各ワイヤレスデバイスに割り当てられた周期的ＣＳＩ−ＲＳリソースは多くのＲＥを消費し、ＣＳＩ−ＲＳのオーバヘッドを増大させる。最大Ｋ個のリソースを含むことができるＣＳＩ−ＲＳリソースのプールを用いる非周期的ＣＳＩ−ＲＳにより、ＣＳＩ−ＲＳのオーバヘッドを低減することができる。複数のＣＳＩ−ＲＳリソースを含むＣＳＩ−ＲＳリソースプールは、共通のＣＳＩ−ＲＳリソースプールを共有することにより、異なる複数のワイヤレスデバイスを対象するためにプリコーディングされ又はビームフォーミングされるＣＳＩ−ＲＳを、異なるサブフレームで送信され得るワイヤレスデバイスのグループ間で共有することができる。非周期的ＣＳＩ−ＲＳ及びＣＳＩ測定要求の出現は、ＣＳＩの測定及び報告のためにＰＤＣＣＨ又はＥＰＤＣＣＨ上で対象のワイヤレスデバイスへ送信されるアップリンクデータグラントメッセージといったＤＣＩにおいて、動的にトリガされ得る。一例が図９に示されている。動的な非周期的ＣＳＩ−ＲＳのインジケーションにおいて、ワイヤレスデバイスは、自身がインジケーションを受信するサブフレームにおいてＣＳＩを測定するように指示され、予め設定されたＣＳＩ−ＲＳリソースのうちのどのＣＳＩ−ＲＳリソースでＣＳＩを測定するべきかを指示される。ワイヤレスデバイスは、指し示されたＣＳＩ−ＲＳリソース上でＣＳＩを測定し、ＣＳＩをネットワークへフィードバックする。
【００４５】
いくつかのケースにおいて、負荷が変動している場合、予め設定されたＫ個のＣＳＩ−ＲＳリソースの全てが必要とされるわけではない。この場合、システムにおける変動する負荷に対処するために、Ｎ＜Ｋ個のＣＳＩ−ＲＳリソースがより動的な手法でアクティブ化されてもよい。Ｋ個のうちＮ個のＣＳＩ−ＲＳリソースがＷＤにおいてアクティブ化される場合、ワイヤレスデバイスは、アクティブ化されたＮ個のＣＳＩ−ＲＳリソースのうちの１つで非周期的ＣＳＩ−ＲＳを受信することを予期できる。Ｋ個のうちＮ個のリソースのアクティブ化は、ＭＡＣ  ＣＥシグナリングを介して行うことができる。
【００４６】
この非周期的ＣＳＩ−ＲＳの送信に関する１つの課題は、ＥＰＤＣＣＨに使用されるＲＥと非周期的ＣＳＩ−ＲＳの送信に使用されるＲＥとの間の潜在的な衝突である。上述したように、非周期的ＣＳＩ−ＲＳの存在は、ＰＤＣＣＨ又はＥＰＤＣＣＨで送信できるアップリンクグラントメッセージを介してＤＣＩを通じて動的にトリガされる。ＥＰＤＣＣＨにより提供されるＰＤＣＣＨに対する追加の利点を活用するのに役立つため、可能であれば、（ＰＤＣＣＨを介して示すのではなく）ＥＰＤＣＣＨを介して非周期的ＣＳＩ−ＲＳの存在を動的に指し示すことが望ましい。しかし、ワイヤレスデバイスは、非周期的ＣＳＩ−ＲＳがサブフレームにおいて送信されるか否かを知得できる前に、まず当該サブフレーム内のＥＰＤＣＣＨを復号すべきである。そのため、サブフレームにおける非周期的ＣＳＩ−ＲＳの送信がＥＰＤＣＣＨにより指し示されるケースにおいて、ＥＰＤＣＣＨに使用されるＲＥ（図７に示すものと同様）と非周期的ＣＳＩ−ＲＳのためのＲＥ（図８に示すＲＥから選択される）との間で潜在的な衝突の課題が生じる。
【００４７】
衝突の課題を解決する１つの手法は、非周期的ＣＳＩ−ＲＳが送信される場合にＥＰＤＣＣＨ  ＲＥを間引くことである。このアプローチの主な欠点は、非周期的ＣＳＩ−ＲＳに使用されるＲＥの数が負荷状態及び動作中のワイヤレスデバイスの数に依存することである。周期的ＣＳＩ−ＲＳに対して非周期的ＣＳＩ−ＲＳが最大の利得を与える高負荷の状態において、非周期的ＣＳＩ−ＲＳに使用されるＲＥの数は多くなり得るはずである。多くのＲＥでＥＰＤＣＣＨが間引かれると、ＥＰＤＣＣＨの性能は有意に低下する。
【００４８】
衝突の課題を解決するための第２の手法は、ＥＰＤＣＣＨのためのＺＰ  ＣＳＩ−ＲＳを特別に構成することであり、ＺＰ  ＣＳＩ−ＲＳ構成は、潜在的に非周期的ＣＳＩ−ＲＳの送信のために使用され得るＲＥをカバーする。ワイヤレスデバイスがＥＰＤＣＣＨを復号する際、ワイヤレスデバイスは、ＥＰＤＣＣＨがＥＰＤＣＣＨのために特別に構成されたＺＰ  ＣＳＩ−ＲＳに含まれるＲＥの周囲でレートマッチングされるか又は当該ＲＥにおいて間引かれることを前提とする。この手法の欠点は、（特にＥＰＤＣＣＨのレートマッチング又は間引きの目的で使用される）追加のＺＰ  ＣＳＩ−ＲＳ構成をＷＤへシグナリングする必要があることである。さらに、非周期的ＣＳＩ−ＲＳの送信がサブフレームに存在することをＥＰＤＣＣＨが指し示す場合、ＥＰＤＣＣＨ固有のＺＰ  ＣＳＩ−ＲＳ構成に含まれるＲＥが非周期的ＣＳＩ−ＲＳをも含み得る。概して、（ＥＰＤＣＣＨ及びＰＤＳＣＨを含む）全てのチャネルをレートマッチングするために使用するＺＰ  ＣＳＩ−ＲＳ構成をワイヤレスデバイスへ指し示すことが望ましいため、これはワイヤレスデバイスの処理を複雑化させる。
【発明の概要】
【００４９】
いくつかの実施形態において、ワイヤレスデバイスにおける方法が提供される。その方法は、非周期的ＣＳＩ−ＲＳがダウンリンク制御チャネルセット内に含まれる物理レイヤリソース内には存在しないという前提に基づいて非周期的ＣＳＩ−ＲＳを受信することを含む。上記方法は、ダウンリンク制御チャネルセットでワイヤレスデバイスを構成するためのシグナリングを受信することをさらに含んでもよい。上記方法は、サブフレームにおける非周期的ＣＳＩ−ＲＳの存在のインジケーションをネットワークノードから物理制御チャネル上で受信することをさらに含んでもよい。
【００５０】
いくつかの実施形態において、非周期的ＣＳＩ−ＲＳの存在のインジケーションは、サブフレーム又はスロットのうちの一方に非周期的ＣＳＩ−ＲＳが存在することを指し示す。いくつかの実施形態において、非周期的ＣＳＩ−ＲＳの存在のインジケーションは、予め決定される数のＯＦＤＭシンボルに非周期的ＣＳＩ−ＲＳが存在することを指し示す。
【００５１】
いくつかの実施形態において、非周期的ＣＳＩ−ＲＳは、少なくともいくつかの定義される条件において物理レイヤリソース内で送信されることができる。
【００５２】
いくつかの実施形態において、ワイヤレスデバイスが、サブフレームにおいて、ダウンリンク制御チャネルセットにおいて非周期的ＣＳＩ−ＲＳが送信済みであることを指し示すダウンリンク制御チャネルメッセージを受信する場合に、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳが送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルセットにおいてダウンリンク制御チャネルメッセージを受信しない場合に、ワイヤレスデバイスは、サブフレームにおいて、ダウンリンク制御チャネルセットに対応する物理リソースブロックであるＰＲＢ内で非周期的ＣＳＩ−ＲＳが送信されることを前提とする。いくつかの実施形態において、サブフレームにおける非周期的ＣＳＩ−ＲＳの存在がＰＤＣＣＨといったダウンリンク制御チャネルを介してワイヤレスデバイスへ指し示され、ダウンリンク制御チャネルセットにおいて非周期的ＣＳＩ−ＲＳが送信済みであることを指し示すダウンリンク制御チャネルメッセージをワイヤレスデバイスが受信しない場合に、ワイヤレスデバイスは、サブフレームにおいて、ダウンリンク制御チャネルセットに対応する物理リソースブロックであるＰＲＢ内に非周期的ＣＳＩ−ＲＳが含まれることを前提とする。いくつかの実施形態において、ダウンリンク制御チャネルメッセージがダウンリンク制御チャネルセットにおいて受信されるかに関わらず、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳが送信されないことを前提とする。
【００５３】
いくつかの実施形態において、非周期的ＣＳＩ−ＲＳが送信済みであることを指し示すダウンリンク制御メッセージをワイヤレスデバイスがサブフレームにおいて受信する場合に、ワイヤレスデバイスは、ダウンリンク制御チャネルメッセージを搬送する物理リソースブロックであるＰＲＢのサブフレームにおいて非周期的ＣＳＩ−ＲＳがワイヤレスデバイスへ送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルメッセージを受信しない場合に、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳが送信されることを前提とする。いくつかの実施形態において、非周期的ＣＳＩ−ＲＳが送信済みであることを指し示すダウンリンク制御チャネルメッセージをワイヤレスデバイスがサブフレームにおいて受信する場合に、ワイヤレスデバイスは、ネットワークノードがダウンリンク制御チャネルメッセージを搬送する物理リソースブロックであるＰＲＢ内で非周期的ＣＳＩ−ＲＳを当該ワイヤレスデバイスへ送信しないことを前提とする。いくつかの実施形態において、サブフレームにおける非周期的ＣＳＩ−ＲＳの存在がＰＤＣＣＨといったダウンリンク制御チャネルを介してワイヤレスデバイスへ指し示され且つワイヤレスデバイスがダウンリンク制御チャネルメッセージを受信しない場合に、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳがワイヤレスデバイスへ送信されることを前提とする。
【００５４】
いくつかの実施形態において、ワイヤレスデバイスがサブフレームにおいてダウンリンク制御チャネルメッセージを受信する場合に、ワイヤレスデバイスは、サブフレームにおいて、ダウンリンク制御チャネルメッセージを搬送するリソースエレメントであるいずれのＲＥ内でも非周期的ＣＳＩ−ＲＳがワイヤレスデバイスへ送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルメッセージを受信しない場合に、ワイヤレスデバイスは、サブフレームにおいて、ワイヤレスデバイスが構成されるダウンリンク制御チャネルセットに対応する全てのリソースエレメントであるＲＥ内で非周期的ＣＳＩ−ＲＳが送信され得ることを前提とする。いくつかの実施形態において、フレーム構造タイプ２について、ワイヤレスデバイスは非周期的ＣＳＩ−ＲＳがダウンリンクパイロット時間スロットにおいて送信されないことを前提とする。いくつかの実施形態において、ワイヤレスデバイスは、非周期的ＣＳＩ−ＲＳの送信がＳｙｓｔｅｍＩｎｆｏｒｍａｔｉｏｎＢｌｏｃｋＴｙｐｅ１メッセージと衝突することになるサブフレームにおいて非周期的ＣＳＩ−ＲＳが送信されないことを前提とする。いくつかの実施形態において、ワイヤレスデバイスは、サブフレームにおいて、ワイヤレスデバイスが構成されるダウンリンク制御チャネルセットに対応する物理リソースブロックペア内で非周期的ＣＳＩ−ＲＳが送信されないことを前提とする。
【００５５】
いくつかの実施形態において、ワイヤレスデバイスは、非周期的トリガを使用する非周期的ＣＳＩ−ＲＳのトリガに関連付けられるダウンリンク制御チャネルを搬送する物理リソースブロックペア内で非周期的ＣＳＩ−ＲＳが送信されないことを前提とする。いくつかの実施形態において、ワイヤレスデバイスは、非周期的トリガを使用する非周期的ＣＳＩ−ＲＳのトリガに関連付けられるダウンリンク制御チャネルを搬送するリソースエレメントであるいずれのＲＥ内でも非周期的ＣＳＩ−ＲＳが送信されないことを前提とする。いくつかの実施形態において、ＬＴＥ（ｌｏｎｇ  ｔｅｒｍ  ｅｖｏｌｕｔｉｏｎ）通信システムにおいて、ダウンリンク制御チャネルは拡張物理ダウンリンク制御チャネルであるＥＰＤＣＣＨであり、ダウンリンク制御チャネルメッセージはＥＰＤＣＣＨメッセージである。
【００５６】
いくつかの実施形態において、ワイヤレスデバイスが提供される。ワイヤレスデバイスは、非周期的ＣＳＩ−ＲＳがダウンリンク制御チャネルセットに内に含まれる物理レイヤリソース内には存在しないという前提に基づいて、非周期的ＣＳＩ−ＲＳを受信する、ように構成される処理回路を含む。処理回路は、ダウンリンク制御チャネルセットでワイヤレスデバイスを構成するためのシグナリングをネットワークノードから受信すること及び／又は非周期的ＣＳＩ−ＲＳの存在のインジケーションをネットワークノードから物理制御チャネル上で受信すること、を実行するようにさらに構成されてもよい。送受信機がさらに構成される。
【００５７】
いくつかの実施形態において、ワイヤレスデバイスが、サブフレームにおいて、ダウンリンク制御チャネルセットにおいて非周期的ＣＳＩ−ＲＳが送信済みであることを指し示すダウンリンク制御チャネルメッセージを受信する場合に、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳが送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルセットにおいてダウンリンク制御チャネルメッセージを受信しない場合に、ワイヤレスデバイスは、サブフレームにおいて、ダウンリンク制御チャネルセットに対応する物理リソースブロックであるＰＲＢ内で非周期的ＣＳＩ−ＲＳが送信されることを前提とする。いくつかの実施形態において、サブフレームにおける非周期的ＣＳＩ−ＲＳの存在がＰＤＣＣＨといったダウンリンク制御チャネルを介してワイヤレスデバイスへ指し示され且つダウンリンク制御チャネルセットにおいて非周期的ＣＳＩ−ＲＳが送信済みであることを指し示すダウンリンク制御チャネルメッセージをワイヤレスデバイスが受信しない場合に、ワイヤレスデバイスは、サブフレームにおいて、ダウンリンク制御チャネルセットに対応する物理リソースブロックであるＰＲＢ内に非周期的ＣＳＩ−ＲＳが含まれることを前提とする。
【００５８】
いくつかの実施形態において、ダウンリンク制御チャネルメッセージがダウンリンク制御チャネルセットにおいて受信されるかに関わらず、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳが送信されないことを前提とする。いくつかの実施形態において、非周期的ＣＳＩ−ＲＳが送信済みであることを指し示すダウンリンク制御メッセージをワイヤレスデバイスがサブフレームにおいて受信する場合に、ワイヤレスデバイスは、ダウンリンク制御チャネルメッセージを搬送する物理リソースブロックであるＰＲＢのサブフレームにおいて非周期的ＣＳＩ−ＲＳがワイヤレスデバイスへ送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルメッセージを受信しない場合に、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳが送信されることを前提とする。
【００５９】
いくつかの実施形態において、非周期的ＣＳＩ−ＲＳが送信済みであることを指し示すダウンリンク制御チャネルメッセージをワイヤレスデバイスがサブフレームにおいて受信する場合に、ワイヤレスデバイスは、ネットワークノードがダウンリンク制御チャネルメッセージを搬送する物理リソースブロックであるＰＲＢ内で非周期的ＣＳＩ−ＲＳを当該ワイヤレスデバイスへ送信しないことを前提とする。いくつかの実施形態において、サブフレームにおける非周期的ＣＳＩ−ＲＳの存在がＰＤＣＣＨといったダウンリンク制御チャネルを介してワイヤレスデバイスへ指し示され且つワイヤレスデバイスがダウンリンク制御チャネルメッセージを受信しない場合に、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳがワイヤレスデバイスへ送信されることを前提とする。いくつかの実施形態において、ワイヤレスデバイスがサブフレームにおいてダウンリンク制御チャネルメッセージを受信する場合に、ワイヤレスデバイスは、サブフレームにおいて、ダウンリンク制御チャネルメッセージを搬送するリソースエレメントであるいずれのＲＥ内でも非周期的ＣＳＩ−ＲＳがワイヤレスデバイスへ送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルメッセージを受信しない場合に、ワイヤレスデバイスは、サブフレームにおいて、ワイヤレスデバイスが構成されるダウンリンク制御チャネルセットに対応する全てのリソースエレメントであるＲＥ内で非周期的ＣＳＩ−ＲＳが送信され得ることを前提とする。
【００６０】
いくつかの実施形態において、フレーム構造タイプ２について、ワイヤレスデバイスは非周期的ＣＳＩ−ＲＳがダウンリンクパイロット時間スロットにおいて送信されないことを前提とする。いくつかの実施形態において、ワイヤレスデバイスは、非周期的ＣＳＩ−ＲＳの送信がＳｙｓｔｅｍＩｎｆｏｒｍａｔｉｏｎＢｌｏｃｋＴｙｐｅ１メッセージと衝突することになるサブフレームにおいて非周期的ＣＳＩ−ＲＳが送信されないことを前提とする。いくつかの実施形態において、ワイヤレスデバイスは、サブフレームにおいて、ワイヤレスデバイスが構成されるダウンリンク制御チャネルセットに対応する物理リソースブロックペア内で非周期的ＣＳＩ−ＲＳが送信されないことを前提とする。いくつかの実施形態において、ワイヤレスデバイスは、非周期的トリガを使用する非周期的ＣＳＩ−ＲＳのトリガに関連付けられるダウンリンク制御チャネルを搬送する物理リソースブロックペア内で非周期的ＣＳＩ−ＲＳが送信されないことを前提とする。いくつかの実施形態において、ワイヤレスデバイスは、非周期的トリガを使用する非周期的ＣＳＩ−ＲＳのトリガに関連付けられるダウンリンク制御チャネルを搬送するリソースエレメントであるいずれのＲＥ内でも非周期的ＣＳＩ−ＲＳが送信されないことを前提とする。いくつかの実施形態において、ＬＴＥ（ｌｏｎｇ  ｔｅｒｍ  ｅｖｏｌｕｔｉｏｎ）通信システムにおいて、ダウンリンク制御チャネルは拡張物理ダウンリンク制御チャネルであるＥＰＤＣＣＨであり、ダウンリンク制御チャネルメッセージはＥＰＤＣＣＨメッセージである。
【００６１】
いくつかの実施形態において、ダウンリンク制御チャネルとチャネル状態情報リファレンス信号である非周期的ＣＳＩ−ＲＳとの間の衝突を回避する、ように構成されるワイヤレスデバイスが提供される。ワイヤレスデバイスは、ダウンリンク制御チャネルセットでワイヤレスデバイスを構成するためのシグナリングをネットワークノードから受信する、ように構成されるダウンリンク制御チャネルセット構成受信機モジュールを含む。ワイヤレスデバイスは、ネットワークノードから受信したシグナリングに従ってダウンリンク制御チャネルセットでワイヤレスデバイスを構成する、ように構成されるダウンリンク制御チャネルセット構成モジュールをさらに含む。ワイヤレスデバイスは、サブフレームにおける非周期的ＣＳＩ−ＲＳの存在のインジケーションをネットワークノードから物理制御チャネル上で受信する、ように構成される非周期的ＣＳＩ−ＲＳインジケーション受信機モジュールをさらに含む。ワイヤレスデバイスは、非周期的ＣＳＩ−ＲＳがダウンリンク制御チャネルセット内に含まれる物理レイヤリソース内には存在しないという前提に基づいて非周期的ＣＳＩ−ＲＳを受信する、ように構成される非周期的ＣＳＩ−ＲＳ受信機モジュールをさらに含む。
【００６２】
いくつかの実施形態において、ネットワークノードにおける方法が提供される。その方法は、非周期的ＣＳＩ−ＲＳを含まないダウンリンク制御チャネルセットでワイヤレスデバイスを構成するようにワイヤレスデバイスにシグナリングすることを含む。上記方法は、ダウンリンク制御チャネルセット内に含まれる物理レイヤリソース内に非周期的ＣＳＩ−ＲＳが存在しないことをワイヤレスデバイスが前提とすることができるように、ダウンリンクチャネルにおける非周期的ＣＳＩ−ＲＳの存在をワイヤレスデバイスにシグナリングすることをさらに含む。
【００６３】
いくつかの実施形態において、ネットワークノードは、サブフレームにおいて、ワイヤレスデバイスに対して構成されたダウンリンク制御チャネルセットに対応する物理リソースブロックであるＰＲＢ内で非周期的ＣＳＩ−ＲＳをワイヤレスデバイスへ送信しない。いくつかの実施形態において、ネットワークノードはサブフレームにおける非周期的ＣＳＩ−ＲＳの存在を指し示し、ワイヤレスデバイスは、非周期的ＣＳＩ−ＲＳがダウンリンク制御チャネルセットに存在しないことを前提としない。いくつかの実施形態において、ネットワークノードはサブフレームにおける非周期的ＣＳＩ−ＲＳの存在を指し示し、サブフレームにおいて、ダウンリンク制御チャネルセットに対応する全てのリソースエレメント内で非周期的ＣＳＩ−ＲＳを送信する。
【００６４】
いくつかの実施形態において、ネットワークノードが提供される。ネットワークノードは、非周期的ＣＳＩ−ＲＳを含まないダウンリンク制御チャネルセットでワイヤレスデバイスを構成するようにワイヤレスデバイスにシグナリングする、ように構成される処理回路を含む。送受信機は、ダウンリンク制御チャネルセット内に含まれる物理リソースブロックに非周期的ＣＳＩ−ＲＳが存在しないことをワイヤレスデバイスが前提とすることができるように、ダウンリンクチャネルにおける非周期的ＣＳＩ−ＲＳの存在をワイヤレスデバイスにシグナリングする、ように構成される。
【００６５】
いくつかの実施形態において、ネットワークノードは、サブフレームにおいて、ワイヤレスデバイスに対して構成されたダウンリンク制御チャネルセットに対応する物理リソースブロックであるＰＲＢ内で非周期的ＣＳＩ−ＲＳをワイヤレスデバイスへ送信しない。いくつかの実施形態において、ネットワークノードはサブフレームにおける非周期的ＣＳＩ−ＲＳの存在を指し示し、ワイヤレスデバイスは、非周期的ＣＳＩ−ＲＳがダウンリンク制御チャネルセットに存在しないことを前提としない。いくつかの実施形態において、ネットワークノードはサブフレームにおける非周期的ＣＳＩ−ＲＳの存在を指し示し、サブフレームにおいて、ダウンリンク制御チャネルセットに対応する全てのリソースエレメント内で非周期的ＣＳＩ−ＲＳを送信する。
【００６６】
いくつかの実施形態において、ネットワークノードが提供される。ネットワークノードは、非周期的ＣＳＩ−ＲＳを含まないダウンリンク制御チャネルセットでワイヤレスデバイスを構成するようにワイヤレスデバイスにシグナリングする、ように構成される送受信機モジュールを含む。送受信機モジュールは、ダウンリンク制御チャネルセット内に含まれる物理レイヤリソース内に非周期的ＣＳＩ−ＲＳが存在しないことをワイヤレスデバイスが前提とすることができるように、ダウンリンクチャネルにおけるサブフレーム内の非周期的ＣＳＩ−ＲＳの存在をワイヤレスデバイスにシグナリングする、ようにさらに構成される。
【００６７】
いくつかの実施形態において、非周期的ＣＳＩ−ＲＳの存在のインジケーションは、サブフレーム又はスロットのうちの一方に非周期的ＣＳＩ−ＲＳが存在することを指し示す。いくつかの実施形態において、非周期的ＣＳＩ−ＲＳの存在のインジケーションは、予め決定される数のＯＦＤＭシンボルに非周期的ＣＳＩ−ＲＳが存在することを指し示す。
【００６８】
いくつかの実施形態において、非周期的ＣＳＩ−ＲＳは、少なくともいくつかの定義される条件において物理レイヤリソース内で送信されることができる。
【図面の簡単な説明】
【００６９】
本実施形態並びにそれに付随する利点及び特徴のより完全な理解が、添付図面と併せて考慮される場合に、以下の詳細な説明を参照することでより容易に得られるであろう：
【００７０】
【図１】ＬＴＥダウンリンク物理リソースを示す概略図である。
【図２】ＬＴＥ時間ドメイン構造を示す概略図である。
【図３】ダウンリンクサブフレームを示す概略図である。
【図４】ダウンリンクサブフレームを示す概略図であり、１０個のＲＢペアが示されていて、各々がＰＲＢペア１つ分のサイズである３つのＥＰＤＣＣＨ領域があり、残りのＰＲＢペアはＰＤＳＣＨ送信のために使用され得る。
【図５】ダウンリンクサブフレームを示す概略図であり、分散送信及び周波数ダイバーシティを達成するために、１つのＥＰＤＣＣＨに属する拡張リソースエレメントグループ（ＥＲＥＧ）である４つの部分が１つのＥＰＤＣＣＨセット内のＰＲＢペアとして知られる複数の拡張制御領域にマッピングされる様子が示されている。
【図６】ダウンリンクサブフレームを示す概略図であり、局所送信を達成するために、１つのＥＰＤＣＣＨに属する４つのＥＣＣＥが拡張制御領域のうちの１つにマッピングされる様子が示されている。
【図７】通常のサブフレームにおける通常のサイクリックプレフィクス構成のＰＲＢペアを示す概略図であり、付番されていない網掛けされた正方形は復調リファレンス信号（ＤＭＲＳ）を含み、付番された各正方形は、それが属するＥＲＥＧに対応する番号を有するリソースエレメントであり、付番され網掛けされた正方形は、インデックス０を有する同一のＥＲＥＧに属するＲＤに対応する。
【図８】ＣＳＩ−ＲＳサブフレームにおけるＰＲＢ内のＣＳＩ−ＲＳ割り当てに利用可能なリソースを示す概略図である。
【図９】非周期的ＣＳＩ−ＲＳの送信を示す概略図である。
【図１０】ここで説示される原理に従って構築される無線通信システムを示すブロック図である。
【図１１】ここで説示される原理に従って構築されるネットワークノードを示すブロック図である。
【図１２】ここで説示される原理に従って構築されるネットワークノードの代替的な実施形態を示すブロック図である。
【図１３】ここで説示される原理に従って構築されるワイヤレスデバイスを示すブロック図である。
【図１４】ここで説示される原理に従って構築されるワイヤレスデバイスの代替的な実施形態を示すブロック図である。
【図１５】所定のサブフレームにおいて、当該サブフレームにおいてＥＰＤＣＣＨメッセージを含むＥＰＤＣＣＨセットに属するＰＲＢ内で非周期的ＣＳＩ−ＲＳが送信されないことをワイヤレスデバイスが前提とする一実施形態の一例を示す図である。
【図１６】現行のサブフレームにおいてＥＰＤＣＣＨセットに属するＰＲＢ内で非周期的ＣＳＩ−ＲＳがいつ送信されるかを判定するための例示的な処理を示すフローチャートである。
【図１７】現行のサブフレームにおいてＥＰＤＣＣＨセットに属するＰＲＢ内で非周期的ＣＳＩ−ＲＳが送信されないと判定するための例示的な処理を示すフローチャートである。
【図１８】所与のフレームにおいてＥＰＤＣＣＨメッセージを搬送するＰＲＢ内で非周期的ＣＳＩ−ＲＳが送信されないことをＷＤが前提とする一実施形態の一例を示す図である。
【図１９】現行のサブフレームにおいてＥＰＤＣＣＨメッセージを搬送するＰＲＢ内で非周期的ＣＳＩ−ＲＳがいつ送信されるかを判定するための例示的な処理を示すフローチャートである。
【図２０】現行のサブフレームにおいてＥＰＤＣＣＨメッセージを搬送するＰＲＢ内で非周期的ＣＳＩ−ＲＳがいつ送信されるかを判定するための例示的な処理を示すフローチャートである。
【図２１】ＥＰＤＣＣＨ用に構成されたＰＲＢ内で非周期的ＣＳＩ−ＲＳが送信されない場合にＣＳＩ推定に対する影響を低減するためのＥＰＤＣＣＨ構成の一例を示す図である。
【図２２】ネットワークノードにおけるダウンリンク制御チャネルとチャネル状態情報リファレンス信号との間の衝突を回避するための例示的な処理を示すフローチャートである。
【図２３】ワイヤレスデバイスにおけるダウンリンク制御チャネルとチャネル状態情報リファレンス信号との間の衝突を回避するための例示的な処理を示すフローチャートである。
【図２４】ここで説示される原理に従って構築されるワイヤレスデバイスにおける例示的な処理を示すフローチャートである。
【発明を実施するための形態】
【００７１】
例示的な実施形態を詳細に説明する前に、実施形態は、拡張物理ダウンリンク制御チャネル（ＥＰＤＣＣＨ）と非周期的チャネル状態情報リファレンス信号（ＣＳＩ−ＲＳ）との間の衝突の回避に関連する装置のコンポーネント及び処理ステップの組み合わせで主に存在することが留意される。したがって、ここでの説明の恩恵を享受する当業者にとって容易に明らかとなる詳細で開示を曖昧にしないように、図中でコンポーネントは旧来の記号で適宜表現されており、実施形態を理解することに関連する特定の詳細のみが示される。
【００７２】
したがって、ここでの説明の恩恵を享受する当業者にとって容易に明らかとなる詳細で発明を曖昧にしないように、図中でコンポーネントは旧来の記号で適宜表現されており、実施形態を理解することに関連する特定の詳細のみが示される。
【００７３】
ここで使用されるところでは、“第１”及び“第２”、“上部”及び“下部”等の関係的な語が、１つのエンティティ又は要素を別のエンティティ又は要素と単に区別するために使用されているかもしれず、そのようなエンティティ又は要素間の何らの物理的な又は論理的な関係若しくは順序を必ずしも要さず示唆もしない。
【００７４】
なお、本開示では３ＧＰＰ  ＬＴＥからの用語が使用されているが、これは本開示の範囲を前述のシステムのみに限定するものと見なすべきではない。広帯域符号分割多元接続（ＷＣＤＭＡ）、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＵＭＢ（Ｕｌｔｒａ  Ｍｏｂｉｌｅ  Ｂｒｏａｄｂａｎｄ）及びＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）を含むがこれらに限定されない他の無線システムもまた、本開示内に含まれる考えを利用することから利益を得てもよい。
【００７５】
また、“ｅＮｏｄｅＢ”及び“ワイヤレスデバイス”等の用語は限定的ではないと考えられるべきであり、特に、これら２つの間の特定の階層的関係を示唆するものではないことが留意される。概して、“ｅＮｏｄｅＢ”は第１のデバイスと考えられ、“ＵＥ”は第２のデバイスと考えられ、これら２つのデバイスは何らかの無線チャネルを介して互いに通信する。また、ここでは、ダウンリンクにおける無線送信に焦点を当てるが、ここで説明される実現例、機能及び概念は、アップリンクにおいても等しく適用可能である。
【００７６】
非周期的ＣＳＩ−ＲＳリソースの効率を向上しつつ、同時に平均的なＣＳＩトリガ遅延を低減する目的で（詳細は、Ｒ１−１６７６３７（“UE  specific  Beamforming  with  Aperiodic  ＣＳＩ−ＲＳ  Transmission”，  Ericsson，  3GPP  TSG−RAN  WG1#86，  Gothenburg，  Sweden，  August  22-26，  2016）を参照）、“Ｓｕｂｆｒａｍｅ_ｃｏｎｆｉｇ”無しでのＫ個のＣＳＩ−ＲＳリソースが複数のワイヤレスデバイス間で動的に共有される必要がある。
【００７７】
非周期的ＣＳＩ−ＲＳの送信の導入に伴う課題は、ＥＰＤＣＣＨに使用されるＲＥと非周期的ＣＳＩ−ＲＳの送信に使用されるＲＥとの間の潜在的な衝突である。上述したように、非周期的ＣＳＩ−ＲＳの存在は、ＰＤＣＣＨ又はＥＰＤＣＣＨで送信できるアップリンクグラントメッセージを介してＤＣＩを通じて動的にトリガされる。ＥＰＤＣＣＨにより提供されるＰＤＣＣＨに対する追加の利点を活用するのに役立つため、可能であれば、（ＰＤＣＣＨを介して示すのではなく）ＥＰＤＣＣＨを介して非周期的ＣＳＩ−ＲＳの存在を動的に指し示すことが望ましい。しかし、ワイヤレスデバイスは、非周期的ＣＳＩ−ＲＳがサブフレームにおいて送信されるか否かを知得できる前に、まず当該サブフレーム内のＥＰＤＣＣＨを復号すべきである。そのため、サブフレームにおける非周期的ＣＳＩ−ＲＳの送信がＥＰＤＣＣＨにより指し示されるケースにおいて、ＥＰＤＣＣＨに使用されるＲＥ（図７に示すものと同様）と非周期的ＣＳＩ−ＲＳのためのＲＥ（図８に示すＲＥから選択される）との間に潜在的な衝突の課題が生じる。
【００７８】
衝突の課題を解決する１つの手法は、非周期的ＣＳＩ−ＲＳが送信される場合にＥＰＤＣＣＨ  ＲＥを間引くことである。この手法の主な欠点は、非周期的ＣＳＩ−ＲＳに使用されるＲＥの数が負荷状態及び動作中のワイヤレスデバイスの数に依存することである。周期的ＣＳＩ−ＲＳに対して非周期的ＣＳＩ−ＲＳが最大の利得を与える高負荷状態において、非周期的ＣＳＩ−ＲＳに使用されるＲＥの数は多くなり得るはずである。多くのＲＥでＥＰＤＣＣＨが間引かれると、ＥＰＤＣＣＨの性能は有意に低下する。
【００７９】
衝突の課題を解決するための第２の手法は、ＥＰＤＣＣＨのためのＺＰ  ＣＳＩ−ＲＳを特別に構成することであり、ＺＰ  ＣＳＩ−ＲＳ構成は、潜在的に非周期的ＣＳＩ−ＲＳの送信のために使用され得るＲＥをカバーする。ワイヤレスデバイスがＥＰＤＣＣＨを復号する際、ワイヤレスデバイスは、ＥＰＤＣＣＨがＥＰＤＣＣＨのために特別に構成されたＺＰ  ＣＳＩ−ＲＳに含まれるＲＥの周囲でレートマッチングされるか又は当該ＲＥにおいて間引かれることを前提とする。この手法の欠点は、（特にＥＰＤＣＣＨのレートマッチング又は間引きの目的で使用される）追加のＺＰ  ＣＳＩ−ＲＳ構成をＷＤへシグナリングする必要があることである。さらに、非周期的ＣＳＩ−ＲＳの送信がサブフレームに存在することをＥＰＤＣＣＨが指し示す場合、ＥＰＤＣＣＨ固有のＺＰ  ＣＳＩ−ＲＳ構成に含まれるＲＥが非周期的ＣＳＩ−ＲＳをも含み得る。概して、（ＥＰＤＣＣＨ及びＰＤＳＣＨを含む）全てのチャネルをレートマッチングするために使用するＺＰ  ＣＳＩ−ＲＳ構成をワイヤレスデバイスへ指し示すことが望ましいため、これはワイヤレスデバイスの処理を複雑化させる。
【００８０】
これらの既存の解決策の欠点を軽減するために、以下の解決策がここで提案される。
【００８１】
１つの解決策において、ＥＰＤＣＣＨと非周期的ＣＳＩ−ＲＳとの間の衝突を回避するために、ワイヤレスデバイスがＥＰＤＣＣＨをモニタリングしているサブフレームにおいてワイヤレスデバイスが構成されたＥＰＤＣＣＨセットのいずれかでＥＰＤＣＣＨメッセージを受信する場合に、ワイヤレスデバイスは、そのサブフレームにおいて、ＷＤに対して構成された１つ又は複数のＥＰＤＣＣＨセットに属するＰＲＢ内で非周期的ＣＳＩ−ＲＳは送信されないこと、を前提とすることができる。第１の解決策の別の変形において、ワイヤレスデバイスは、ＥＰＤＣＣＨセット内かつサブフレーム内で有効なＥＰＤＣＣＨメッセージがその特定のワイヤレスデバイス向けに受信されるか否かに関わらず、そのサブフレームにおいてワイヤレスデバイスに対して構成されたＥＰＤＣＣＨセットに属するＰＲＢ内で非周期的ＣＳＩ−ＲＳが送信されないことを前提とすることができる。ＣＳＩ−ＲＳは、ネットワークノードにより、上述したワイヤレスデバイスに対して構成されたＥＰＤＣＣＨセットの外側でＰＲＢにおいて依然として送信され、したがって、ワイヤレスデバイスは、当該ＥＰＤＣＣＨセットの外側のそれらＣＳＩ−ＲＳ上で対応するＣＳＩ測定を行うことができる。
【００８２】
なお、ＥＰＤＣＣＨメッセージは、ワイヤレスデバイスに割り当てられたＣ−ＲＮＴＩ（無線ネットワーク一時識別子）を用いて当該ワイヤレスデバイスがそのメッセージを成功裏に復号する場合、当該ワイヤレスデバイスにとって有効である。Ｃ−ＲＮＴＩはＣＲＣ（巡回冗長検査）で符号化され、ＣＲＣが失敗する場合、ワイヤレスデバイスはＥＰＤＣＣＨメッセージを破棄し、ＣＲＣがメッセージと一致する場合、メッセージは当該ワイヤレスデバイス宛てであってそのメッセージは有効である。この場合、ワイヤレスデバイスは、非周期的ＣＳＩ−ＲＳのトリガを含む可能性があるメッセージの内容に関しアクションを行う。
【００８３】
第２の解決策において、非周期的ＣＳＩ−ＲＳが送信済みであることを指し示すＥＰＤＣＣＨメッセージをワイヤレスデバイスがサブフレームにおいて受信する場合に、ワイヤレスデバイスは、そのサブフレームにおいて、当該ＥＰＤＣＣＨメッセージを搬送するＰＲＢ内で非周期的ＣＳＩ−ＲＳがワイヤレスデバイスへ送信されないことを前提とすることができる。したがって、特に、ワイヤレスデバイスは、同じサブフレームにおいて非周期的ＣＳＩ−ＲＳのトリガを含む有効なＥＰＤＣＣＨメッセージを受信したＰＲＢにおいてＣＳＩ−ＲＳを測定しない。
【００８４】
第３の解決策において、非周期的ＣＳＩ−ＲＳが送信済みであることを指し示すＥＰＤＣＣＨメッセージをワイヤレスデバイスがサブフレームにおいて受信する場合に、ワイヤレスデバイスは、そのサブフレームにおいて当該ＥＰＤＣＣＨメッセージを搬送するいずれのＲＥでも非周期的ＣＳＩ−ＲＳがワイヤレスデバイスへ送信されないことを前提とすることができる。したがって、特に、ワイヤレスデバイスは、同じサブフレームにおいて非周期的ＣＳＩ−ＲＳのトリガを含む有効なＥＰＤＣＣＨメッセージを受信したＲＥにおいてＣＳＩ−ＲＳを測定しない。
【００８５】
提案される解決策の主な利点は、ワイヤレスデバイスの処理が簡略になること、ＥＰＤＣＣＨのみに特有の追加のＺＰ  ＣＳＩ−ＲＳ構成をワイヤレスデバイスにシグナリングする必要性が軽減されること、及び、ＥＰＤＣＣＨ  ＲＥの間引きを回避することにより良好なＥＰＤＣＣＨ性能が維持されることである。
【００８６】
図面へ戻ると、図中では類似の要素が類似の参照番号で示されており、図１０に、ここで説示される原理に従って構築される無線通信システム１０のブロック図が示されている。無線通信ネットワーク１０は、インターネット及び／又は公衆交換電話網（ＰＳＴＮ）を含んでもよいクラウド１２を含む。また、クラウド１２は、無線通信ネットワーク１０のバックホールネットワークとして機能してもよい。無線通信ネットワーク１０は、ＬＴＥの実施形態においてＸ２インタフェースを介して直接通信してもよい１つ以上のネットワークノード１４Ａ及び１４Ｂを含み、それらをネットワークノード１４と総称する。ＮＲ（Ｎｅｗ  Ｒａｄｉｏ）等の他の通信プロトコルに対するネットワークノード１４間の通信に他のインタフェースタイプを使用できることが考えられる。ネットワークノード１４は、ここでワイヤレスデバイス１６と総称するワイヤレスデバイス１６Ａ及び１６Ｂにサービスしてもよい。なお、便宜上、２つのワイヤレスデバイス１６及び２つのネットワークノード１４のみを示すが、無線通信ネットワーク１０は、通常、さらに多くのワイヤレスデバイス（ＷＤ）１６及びネットワークノード１４を含み得る。さらに、いくつかの実施形態において、複数のＷＤ１６が、サイドリンク接続と呼ばれ得るものを使用して直接通信してもよい。
【００８７】
ここで使用される“ワイヤレスデバイス”又は移動端末という用語は、セルラ又はモバイル通信システム１０においてネットワークノード１４及び／又は別のワイヤレスデバイス１６と通信するいかなる種類のワイヤレスデバイスを示してもよい。ワイヤレスデバイス１６の例は、ユーザ機器（ＵＥ）、ターゲットデバイス、デバイスツーデバイス（Ｄ２Ｄ）ワイヤレスデバイス、マシンタイプワイヤレスデバイス又はマシンツーマシン（Ｍ２Ｍ）通信可能なワイヤレスデバイス、ＰＤＡ、タブレット、スマートフォン、ラップトップ内蔵機器（ＬＥＥ）、ラップトップ搭載機器（ＬＭＥ）、ＵＳＢドングル等である。
【００８８】
ここで使用される用語“ネットワークノード”は、何らかの基地局（ＢＴＳ）、基地局制御装置（ＢＳＣ）、無線ネットワーク制御装置（ＲＮＣ）、発展型ノードＢ（ｅＮＢ又はｅＮｏｄｅＢ）、ＮＲ  ｇＮｏｄｅＢ、ＮＲ  ｇＮＢ、Ｎｏｄｅ  Ｂ、ＭＳＲ  ＢＳ等のマルチ標準無線（ＭＳＲ）無線ノード、リレーノード、リレーを制御するドナーノード、無線アクセスポイント（ＡＰ）、送信ポイント、送信ノード、リモート無線ユニット（ＲＲＵ）、リモート無線ヘッド（ＲＲＨ）、分散アンテナシステム（ＤＡＳ）内のノード等をさらに含んでもよい無線ネットワークにおけるいかなるの種類の無線基地局を示してもよい。
【００８９】
ここではネットワークノード１４により実行されるある機能を参照して実施形態を説明しているが、理解されることとして、それら機能は、他のネットワークノード及び要素においても実行され得る。また、理解されることとして、ネットワークノード１４の機能は、他のノードがここで説明される１つ以上の機能又は機能の一部を実行できるようにネットワーククラウド１２にわたり分散され得る。
【００９０】
図１０に示すように、ネットワークノード１４は、ダウンリンク制御チャネルセット構成をワイヤレスデバイス１６へ送信する、ように構成される送信機１８を含む。ワイヤレスデバイス１６は、ダウンリンク制御チャネルセット構成をネットワークノード１４から受信する、ように構成される受信機２０を含む。
【００９１】
ネットワークノード１４のブロック図を図１１に示す。ネットワークノード１４は、処理回路２２を有する。いくつかの実施形態において、処理回路は、メモリ２４及びプロセッサ２６を含んでよく、メモリ２４は、プロセッサ２６により実行された場合に、ここで説明される１つ以上の機能を実行するようにプロセッサ２６を構成する命令群を含む。従来のプロセッサ及びメモリに加えて、処理回路２２は、例えば１つ以上のプロセッサ及び／又はプロセッサコア及び／又はＦＰＧＡ（フィールドプログラマブルゲートアレイ）及び／又はＡＳＩＣ（特定用途向け集積回路）である処理及び／又は制御のための集積回路を備えてもよい。
【００９２】
処理回路２２は、例えばキャッシュ及び／又はバッファメモリ及び／又はＲＡＭ（ランダムアクセスメモリ）及び／又はＲＯＭ（読み出し専用メモリ）及び／又は光メモリ及び／又はＥＰＲＯＭ（消去可能プログラマブル読み出し専用メモリ）である何らかの種類の揮発性及び／又は不揮発性メモリを含んでもよいメモリ２４を含み且つ／又はそれに接続され且つ／又はそれにアクセスする（それとの間で書き込み及び／又は読み出しを行う）ように構成されてもよい。そのようなメモリ２４は、制御回路により実行可能なコード及び／又は他のデータ、例えばノードの構成及び／又はアドレスデータ等である通信に関するデータを記憶するように構成されてもよい。処理回路２２は、ここで説明される方法のうちのいずれかを制御するように及び／又はそのような方法を例えばプロセッサ２６により実行させるように構成されてもよい。対応する命令群は、読み出し可能であり且つ／又は処理回路２２に読み出し可能に接続されてもよいメモリ２４に記憶されてもよい。換言すると、処理回路２２は、マイクロプロセッサ及び／又はマイクロコントローラ及び／又はＦＰＧＡ（フィールドプログラマブルゲートアレイ）デバイス及び／又はＡＳＩＣ（特定用途向け集積回路）デバイスを備えてもよいコントローラを含んでもよい。処理回路２２は、コントローラ及び／又は処理回路２２が読み出し及び／又は書き込みのためにアクセス可能であるように構成されてもよいメモリを含むか、あるいはそれに接続されるか又は接続可能であってもよいと考えられてもよい。
【００９３】
メモリ２４は、上述したように、ＣＳＩ−ＲＳ構成及び／又はＣＳＩ−ＲＳサブフレーム構成を含んでもよいＣＳＩ−ＲＳパラメータを記憶する、ように構成される。送受信機２８は、ワイヤレスデバイスが構成されるダウンリンク制御チャネルセットをワイヤレスデバイス１６へ送信する、ように構成されるダウンリンク制御チャネルセット構成送信機１８を有する。送受信機２８は、ダウンリンク制御チャネルセット内に含まれる物理レイヤリソース内にＣＳＩ−ＲＳが存在しないことをワイヤレスデバイスが前提とすることができるように、サブフレームにおいてダウンリンクチャネルに存在するＣＳＩ−ＲＳをワイヤレスデバイス１６へ送信する、ように構成されるＣＳＩ−ＲＳ送信機３２（送信機１８と同じであってもよい）、をさらに含む。
【００９４】
図１２は、ダウンリンク制御チャネルとチャネル状態情報リファレンス信号との間の衝突を回避するためのここで説示される原理に従って構成されるネットワークノード１４の代替的な実施形態のブロック図である。ネットワークノード１４は、ＣＳＩ−ＲＳパラメータを記憶する、ように構成されるメモリモジュール２５を含む。ネットワークノード１４は、ダウンリンク制御チャネルセット構成送信機１８及びＣＳＩ−ＲＳ送信機３２を含む送受信機モジュール２９をさらに含む。送受信機モジュール２９のいくつかの機能は、少なくとも部分的にプロセッサ２６により実現されてもよい。
【００９５】
図１３は、ワイヤレスデバイス１６のブロック図である。ワイヤレスデバイス１６は、処理回路４２を有する。いくつかの実施形態において、処理回路は、メモリ４４及びプロセッサ４６を含んでよく、メモリ４４は、プロセッサ４６により実行された場合に、ここで説明される１つ以上の機能を実行するようにプロセッサ４６を構成する命令群を含む。従来のプロセッサ及びメモリに加えて、処理回路４２は、例えば１つ以上のプロセッサ及び／又はプロセッサコア及び／又はＦＰＧＡ（フィールドプログラマブルゲートアレイ）及び／又はＡＳＩＣ（特定用途向け集積回路）である処理及び／又は制御のための集積回路を備えてもよい。
【００９６】
処理回路４２は、例えばキャッシュ及び／又はバッファメモリ及び／又はＲＡＭ（ランダムアクセスメモリ）及び／又はＲＯＭ（読み出し専用メモリ）及び／又は光メモリ及び／又はＥＰＲＯＭ（消去可能プログラマブル読み出し専用メモリ）である何らかの種類の揮発性及び／又は不揮発性メモリを含んでもよいメモリ４４を含み且つ／又はそれに接続され且つ／又はそれにアクセスする（それとの間で書き込み及び／又は読み出しを行う）ように構成されてもよい。そのようなメモリ４４は、制御回路により実行可能なコード及び／又は他のデータ、例えばノードの構成及び／又はアドレスデータ等である通信に関するデータを記憶するように構成されてもよい。処理回路４２は、ここで説明される方法のうちのいずれかを制御するように及び／又はそのような方法を例えばプロセッサ４６により実行させるように構成されてもよい。対応する命令群は、読み出し可能であり且つ／又は処理回路４２に読み出し可能に接続されてもよいメモリ４４に記憶されてもよい。換言すると、処理回路４２は、マイクロプロセッサ及び／又はマイクロコントローラ及び／又はＦＰＧＡ（フィールドプログラマブルゲートアレイ）デバイス及び／又はＡＳＩＣ（特定用途向け集積回路）デバイスを備えてもよいコントローラを含んでもよい。処理回路４２は、コントローラ及び／又は処理回路４２が読み出し及び／又は書き込みのためにアクセス可能であるように構成されてもよいメモリを含むか、あるいはそれに接続されるか又は接続可能であってもよいと考えられてもよい。
【００９７】
メモリ４４は、上述したように、ＣＳＩ−ＲＳ構成及び／又はＣＳＩ−ＲＳサブフレーム構成を含んでもよいＣＳＩ−ＲＳパラメータを記憶する、ように構成される。プロセッサ４６は、ダウンリンク制御チャネル構成ユニット５２を介してダウンリンク制御チャネル構成セットでワイヤレスデバイス１６を構成する、ように構成される。送受信機４８は、ワイヤレスデバイスが構成されるダウンリンク制御チャネルセットを受信する、ように構成されるダウンリンク制御チャネルセット構成受信機２０を有する。送受信機４８は、サブフレームにおけるＣＳＩ−ＲＳの存在のインジケーションを物理制御チャネル上でネットワークノードから受信する、ように構成されるＣＳＩ−ＲＳインジケータ受信機５４をさらに含む。送受信機４８は、ダウンリンク制御チャネルセット内に含まれる物理レイヤリソース内にＣＳＩ−ＲＳが存在しないことをワイヤレスデバイスが前提とすることができるように、サブフレームにおいてダウンリンクチャネルに存在するＣＳＩ−ＲＳを受信する、ように構成されるＣＳＩ−ＲＳ受信機５６（受信機２０と同じであってもよい）をさらに含む。
【００９８】
図１４は、ダウンリンク制御チャネルとチャネル状態情報リファレンス信号との間の衝突を回避するためのここで説示される原理に従って構成されるワイヤレスデバイス１６の代替的な実施形態のブロック図である。ワイヤレスデバイス１６は、ＣＳＩ−ＲＳパラメータを記憶する、ように構成されるメモリモジュール４５を含む。ワイヤレスデバイス１６は、プロセッサ４６により実行可能なソフトウェアとして実現されてもよいダウンリンク制御チャネルセット構成モジュール５３をさらに含む。ワイヤレスデバイスは、サブフレームにおけるＣＳＩ−ＲＳの存在のインジケーションを物理制御チャネル上でネットワークノードから受信する、ように構成されるＣＳＩ−ＲＳインジケーション受信機５５をさらに含む。ワイヤレスデバイス１６は、ダウンリンク制御チャネルセット構成受信機２０及びＣＳＩ−ＲＳ受信機５７を含む送受信機モジュール４９をさらに含む。送受信機モジュール４９のいくつかの機能は、少なくとも部分的にプロセッサ４６により実現されてもよい。
【００９９】
実施形態１
ＥＰＤＣＣＨ  ＲＥと非周期的ＣＳＩ−ＲＳの送信に属するＲＥとの間の衝突を解決する１つの解決策は、ワイヤレスデバイスに対して構成されたＥＰＤＣＣＨセット内で非周期的ＣＳＩ−ＲＳが送信済みであることを指し示すＥＰＤＣＣＨメッセージをワイヤレスデバイスがサブフレームにおいて受信する場合に、そのサブフレームにおいて当該ＥＰＤＣＣＨセットに属するＰＲＢ内で非周期的ＣＳＩ−ＲＳが送信されないこと、を当該ワイヤレスデバイスに前提とさせることである。あるサブフレームにおける非周期的ＣＳＩ−ＲＳの送信の存在がＰＤＣＣＨにより指し示され且つワイヤレスデバイスがＥＰＤＣＣＨセットにおいてＥＰＤＣＣＨメッセージを受信しない場合に、ワイヤレスデバイスは非周期的ＣＳＩ−ＲＳが当該ＥＰＤＣＣＨセットに属するＰＲＢ内でそのサブフレームにおいて送信されることを前提とすることができる。留意すべきこととして、これらのルールは、関連付けられるサブフレーム構成を有しない非周期的ＣＳＩ−ＲＳを受信するようにワイヤレスデバイスが構成される場合にのみ適用される（即ち、これらルールは、非周期的ＣＳＩ−ＲＳ送信信号を受信するように構成されていないワイヤレスデバイスには適用されない）。本実施形態の一例が図１５に示されている。本実施形態に関連するステップ群が図１６に示されている。
【０１００】
図１６は、ワイヤレスデバイス１６により実行されるダウンリンク制御チャネルとチャネル状態情報リファレンス信号との間の衝突を回避する例示的な処理を示すフローチャートである。その処理は、非周期的ＣＳＩ−ＲＳが送信機３２により送信済みであることを指し示すＥＰＤＣＣＨメッセージが現行のサブフレームにおいてＥＰＤＣＣＨセット内で受信機２０を介して受信されるかを判定すること（ブロックＳ１００）を含む。そのようなＥＰＤＣＣＨメッセージがそのように受信される場合、上記処理は非周期的ＣＳＩ−ＲＳが現行のサブフレームに存在するかを判定すること（ブロックＳ１０２）を含む。非周期的ＣＳＩ−ＲＳが現行のサブフレームに存在する場合、ワイヤレスデバイス１６は、現行のサブフレームにおいて非周期的ＣＳＩ−ＲＳがＥＰＤＣＣＨセットに属するＰＲＢ内で送信されないことを前提とする（ブロックＳ１０４）。ブロックＳ１００に戻り、非周期的ＣＳＩ−ＲＳが送信済みであることを指し示すＥＰＤＣＣＨメッセージが現行のサブフレームにおいてＥＰＤＣＣＨセット内で受信されない場合、非周期的ＣＳＩ−ＲＳが現行のサブフレームに存在するかが判定される（ブロックＳ１０６）。非周期的ＣＳＩ−ＲＳが現行のサブフレームに存在する場合、ワイヤレスデバイス１６は、現行のサブフレームにおいて非周期的ＣＳＩ−ＲＳがＥＰＤＣＣＨセットに属するＰＲＢ内で送信機３２を介して送信されることを前提とする（ブロックＳ１０８）。
【０１０１】
本実施形態のいくつかの変形において、ワイヤレスデバイスがサブフレームにおいてＥＰＤＣＣＨセット内でＥＰＤＣＣＨメッセージを受信する場合、ネットワークノード１４は、そのサブフレームにおいて当該ワイヤレスデバイスに対して構成されたＥＰＤＣＣＨセットに属するＰＲＢ内で非周期的ＣＳＩ−ＲＳをワイヤレスデバイスへ送信しない。そのサブフレームにおける非周期的ＣＳＩ−ＲＳの送信の存在がネットワークノード１４によりＰＤＣＣＨを介してワイヤレスデバイスへ指し示され且つ非周期的ＣＳＩ−ＲＳがＥＰＤＣＣＨセット内で送信済みであることを指し示すＥＰＤＣＣＨメッセージをワイヤレスデバイスが受信しない場合に、ワイヤレスデバイスは、ネットワークノード１４は、そのサブフレームにおいてＥＰＤＣＣＨセットに属するＰＲＢ内で非周期的ＣＳＩ−ＲＳをワイヤレスデバイスへ送信することを前提としてもよい。
【０１０２】
代替的な実施形態において、ワイヤレスデバイスがＥＰＤＣＣＨセットで構成され且つ非周期的ＣＳＩ−ＲＳを受信するように構成される場合に、ＥＰＤＣＣＨメッセージがＥＰＤＣＣＨセット内で受信されるか否かに関わらず、ワイヤレスデバイスは、非周期的ＣＳＩ−ＲＳがサブフレームにおいてワイヤレスデバイス１６に対して構成されたＥＰＤＣＣＨセットに属するＰＲＢ内で送信されないことを前提とし得る。いくつかの変形において、ネットワークノード１４は、サブフレームにおいてワイヤレスデバイス１６に対して構成されたＥＰＤＣＣＨセットに属するＰＲＢ内で非周期的ＣＳＩ−ＲＳを当該ワイヤレスデバイス１６へ送信しない。この代替的な実施形態に関連するステップが図１７に示されている。
【０１０３】
図１７は、ワイヤレスデバイス１６により実行されるダウンリンク制御チャネルとチャネル状態情報リファレンス信号との間の衝突を回避する例示的な処理のワイヤレスデバイス１６における代替的な処理を示すフローチャートである。その処理は、受信機２０により受信されるＥＰＤＣＣＨセットでワイヤレスデバイス１６を構成し且つ受信機５２を介して非周期的ＣＳＩ−ＲＳを受信するように構成すること（ブロックＳ１１０）を含む。上記処理は、現行のサブフレームにおいてＥＰＤＣＣＨセットに属するＰＲＢ内で非周期的ＣＳＩ−ＲＳが送信されないことをワイヤレスデバイス１６が前提とすること（ブロックＳ１１２）をさらに含む。
【０１０４】
実施形態２
ＥＰＤＣＣＨ  ＲＥと非周期的ＣＳＩ−ＲＳの送信に属するＲＥとの間の衝突を解決する第２の解決策は、非周期的ＣＳＩ−ＲＳが送信済みであることを指し示すＥＰＤＣＣＨメッセージをワイヤレスデバイスがサブフレームにおいて受信する場合に、そのサブフレームにおいて当該ＥＰＤＣＣＨメッセージを搬送するＰＲＢ内で非周期的ＣＳＩ−ＲＳが当該ワイヤレスデバイスへ送信されないこと、をワイヤレスデバイスに前提とさせることである。あるサブフレームにおける非周期的ＣＳＩ−ＲＳの送信の存在がＰＤＣＣＨにより指し示され且つワイヤレスデバイス１６がＥＰＤＣＣＨメッセージを受信しない場合に、ワイヤレスデバイス１６は、非周期的ＣＳＩ−ＲＳがそのサブフレームにおいてＷＤに対して構成されたＥＰＤＣＣＨセットに属するＰＲＢ内で送信されることを前提とすることができる。留意すべきこととして、これらルールは、関連付けられるサブフレーム構成を有しない非周期的ＣＳＩ−ＲＳを受信するようにワイヤレスデバイス１６が構成される場合にのみ適用される（即ち、これらルールは、非周期的ＣＳＩ−ＲＳ送信信号を受信するように構成されていないワイヤレスデバイスには適用されない）。本実施形態の一例が図１８に示されている。本実施形態に関連するステップ群が図１９に示されている。
【０１０５】
図１９は、ワイヤレスデバイス１６により実行されるダウンリンク制御チャネルと非周期的チャネル状態情報リファレンス信号との間の衝突を回避する例示的な処理を示すフローチャートである。その処理は、非周期的ＣＳＩ−ＲＳが送信済みであることを指し示すＥＰＤＣＣＨメッセージが現行のサブフレームにおいてＥＰＤＣＣＨセット内で受信されるかをダウンリンク制御チャネルセット構成ユニット５２を介して判定すること（ブロックＳ１１４）を含む。そのようなＥＰＤＣＣＨメッセージがそのように受信される場合、上記処理は非周期的ＣＳＩ−ＲＳが現行のサブフレームに存在するかを判定すること（ブロックＳ１１６）を含む。非周期的ＣＳＩ−ＲＳが現行のサブフレームに存在する場合、ワイヤレスデバイス１６は、非周期的ＣＳＩ−ＲＳが現行のサブフレームにおいてＥＰＤＣＣＨメッセージを搬送するＰＲＢ内で送信されないことを前提とする（ブロックＳ１１８）。ブロックＳ１１４に戻り、非周期的ＣＳＩ−ＲＳが送信済みであることを指し示すＥＰＤＣＣＨメッセージが現行のサブフレームにおいてＥＰＤＣＣＨセット内で受信されない場合、非周期的ＣＳＩ−ＲＳが現行のサブフレームに存在するかが判定される（ブロックＳ１２０）。非周期的ＣＳＩ−ＲＳが現行のサブフレームに存在する場合、ワイヤレスデバイス１６は、非周期的ＣＳＩ−ＲＳが現行のサブフレームにおいてＥＰＤＣＣＨセットに属するＰＲＢ内で送信され得ることを前提とする（ブロックＳ１２２）。
【０１０６】
本実施形態のいくつかの変形において、非周期的ＣＳＩ−ＲＳが送信済みであることを指し示すＥＰＤＣＣＨメッセージをワイヤレスデバイスがサブフレームにおいて受信する場合に、ワイヤレスデバイス１６は、ネットワークノードが当該ＥＰＤＣＣＨメッセージを搬送するＰＲＢ内で非周期的ＣＳＩ−ＲＳを当該ワイヤレスデバイスへ送信しないことを前提としてもよい。あるサブフレームにおける非周期的ＣＳＩ−ＲＳの送信の存在がネットワークノード１４によりＰＤＣＣＨを介してワイヤレスデバイス１６へ指し示され且つワイヤレスデバイス１６がＥＰＤＣＣＨメッセージを受信しない場合に、ワイヤレスデバイス１６は、ネットワークノード１４がそのサブフレームにおいてワイヤレスデバイス１６に対して構成されたＥＰＤＣＣＨセットに属するＰＲＢ内で非周期的ＣＳＩ−ＲＳをワイヤレスデバイスへ送信することを前提としてもよい。
【０１０７】
実施形態３
ＥＰＤＣＣＨ  ＲＥと非周期的ＣＳＩ−ＲＳの送信に属するＲＥとの間の衝突を解決する第３の解決策は、ワイヤレスデバイス１６がサブフレームにおいてＥＰＤＣＣＨメッセージを受信する場合に、非周期的ＣＳＩ−ＲＳがそのサブフレームにおいて当該ＥＰＤＣＣＨメッセージを搬送するいずれのＲＥでも当該ワイヤレスデバイス１６へ送信されないこと、をワイヤレスデバイスに前提とさせることである。例えば図７に示すインデックス０を有するＲＥがＥＰＤＣＣＨメッセージを搬送する場合に、ワイヤレスデバイス１６は非周期的ＣＳＩ−ＲＳが当該ＲＥで送信されないことを前提とする。あるサブフレームにおける非周期的ＣＳＩ−ＲＳの送信の存在がＰＤＣＣＨにより指し示され且つワイヤレスデバイス１６がＥＰＤＣＣＨメッセージを受信しない場合に、ワイヤレスデバイス１６は、非周期的ＣＳＩ−ＲＳがそのサブフレームにおいてＷＤに対して構成されたＥＰＤＣＣＨセットに属する全てのＲＥで送信され得ることを前提とすることができる。留意すべきこととして、これらルールは、関連付けられるサブフレーム構成を有しない非周期的ＣＳＩ−ＲＳを受信するようにワイヤレスデバイス１６が構成される場合にのみ適用される（即ち、これらルールは、非周期的ＣＳＩ−ＲＳの送信を受信するように構成されていないワイヤレスデバイスには適用されない）。本実施形態に関連するステップ群が図２０に示されている。
【０１０８】
図２０は、ワイヤレスデバイス１６により実行されるダウンリンク制御チャネルとチャネル状態情報リファレンス信号との間の衝突を回避する例示的な処理を示すフローチャートである。その処理は、非周期的ＣＳＩ−ＲＳが送信済みであることを指し示すＥＰＤＣＣＨメッセージが現行のサブフレームにおいてＥＰＤＣＣＨセット内で受信されるかを判定すること（ブロックＳ１２４）を含む。そのようなＥＰＤＣＣＨメッセージがそのように受信される場合、上記処理は非周期的ＣＳＩ−ＲＳが現行のサブフレームに存在するかを判定すること（ブロックＳ１２６）を含む。非周期的ＣＳＩ−ＲＳが現行のサブフレームに存在する場合、ワイヤレスデバイス１６は、非周期的ＣＳＩ−ＲＳが現行のサブフレームにおいてＥＰＤＣＣＨメッセージを搬送するいずれのＲＥでも送信されないことを前提とする（ブロックＳ１２８）。ブロックＳ１２４に戻り、非周期的ＣＳＩ−ＲＳが送信済みであることを指し示すＥＰＤＣＣＨメッセージが現行のサブフレームにおいてＥＰＤＣＣＨセット内で受信されない場合、非周期的ＣＳＩ−ＲＳが現行のサブフレームに存在するかが判定される（ブロックＳ１３０）。非周期的ＣＳＩ−ＲＳが現行のサブフレームに存在する場合、ワイヤレスデバイス１６は、非周期的ＣＳＩ−ＲＳが現行のサブフレームにおいてＥＰＤＣＣＨセットに属する全てのＲＥで送信され得ることを前提とする（ブロックＳ１３２）。
【０１０９】
いくつかの変形において、非周期的ＣＳＩ−ＲＳが送信済みであることを指し示すＥＰＤＣＣＨメッセージをワイヤレスデバイスがサブフレームにおいて受信する場合に、ネットワークノード１４は、当該ＥＰＤＣＣＨメッセージを搬送するいずれのＲＥでも非周期的ＣＳＩ−ＲＳをワイヤレスデバイスへ送信しない。あるサブフレームにおける非周期的ＣＳＩ−ＲＳの送信の存在がネットワークノード１４によりＰＤＣＣＨを介してワイヤレスデバイス１６へ指し示され且つワイヤレスデバイス１６がＥＰＤＣＣＨメッセージを受信しない場合に、ネットワークノード１４は、サブフレームにおいてワイヤレスデバイス１６に対して構成されたＥＰＤＣＣＨセットに属する全てのＲＥ内で非周期的ＣＳＩ−ＲＳを送信し得る。
【０１１０】
実施形態４
上述した解決策において、ＥＰＤＣＣＨで構成されるが非周期的ＣＳＩ−ＲＳで構成されないワイヤレスデバイス１６において、ＥＰＤＣＣＨが他のワイヤレスデバイス１６へ送信される非周期的ＣＳＩ−ＲＳと衝突する場合、そのＥＰＤＣＣＨ性能が低下し得る。
【０１１１】
別の実施形態において、ネットワークノード１４は、いずれのワイヤレスデバイスにも、ＥＰＤＣＣＨ用に構成されるＰＲＢ内で非周期的ＣＳＩ−ＲＳを送信しない。ＥＰＤＣＣＨ  ＰＲＢは、非周期的ＣＳＩ−ＲＳをＰＲＢ内で送信しないことによるＣＳＩ推定に対する影響が最小になるように構成され得る。例えば、同じＥＰＤＣＣＨ  ＰＲＢが全てのワイヤレスデバイスに対して構成されてもよく、ｎを非負の整数とするインデックス｛ｎ，ｎ＋２，ｎ＋４，…｝を有するＰＲＢなど、等間隔のＰＲＢであってもよい。ＥＰＤＣＣＨ及び非周期的ＣＳＩ−ＲＳの双方で構成されるワイヤレスデバイスは、非周期的ＣＳＩ−ＲＳがＥＰＤＣＣＨ用に構成される全てのＰＲＢ内で送信されないことを前提としてもよい。一例が図２１に示されている。
【０１１２】
明細書中の前述の実施形態の捉え方に関する３つの代替例が与えられる。
【０１１３】
ワイヤレスデバイス１６は、ＣＳＩリファレンス信号が次の中で送信されないことを前提とするものとされる
−  フレーム構造タイプ２のケースにおける、ダウンリンクパイロット時間スロット（ＤｗＰＴＳ）内
−  ＣＳＩ−ＲＳの送信がＳｙｓｔｅｍＩｎｆｏｒｍａｔｉｏｎＢｌｏｃｋＴｙｐｅ１メッセージと衝突することになるサブフレーム内
−  セル固有のページング構成を伴う任意のワイヤレスデバイスについて、プライマリセルにおけるページングメッセージの送信のために構成されるサブフレームにおけるそのプライマリセル内
−  代替例１…そのサブフレーム内でワイヤレスデバイスに対して構成されたＥＰＤＣＣＨセットに属する１つ又は複数の物理リソースブロックペア内
−  代替例２…非周期的トリガを使用するＣＳＩリファレンス信号のトリガに関連付けられるＥＰＤＣＣＨを搬送する任意の１つ又は複数の物理リソースブロックペア内
−  代替例３…非周期的トリガを使用するＣＳＩリファレンス信号のトリガに関連付けられるＥＰＤＣＣＨを搬送する任意のリソースエレメント群内
【０１１４】
図２２は、ネットワークノード１４におけるダウンリンク制御チャネルと非周期的チャネル状態情報リファレンス信号との間の衝突を回避する例示的な処理を示すフローチャートである。その処理は、非周期的ＣＳＩ−ＲＳを含まないダウンリンク制御チャネルセットでワイヤレスデバイスを構成するようにダウンリンク制御チャネルセット構成ユニット５２を介してワイヤレスデバイス１６にシグナリングすること（ブロックＳ１３４）を含む。上記処理は、ＣＳＩ−ＲＳがダウンリンク制御チャネルセット内に含まれる物理レイヤリソース内に存在しないことをワイヤレスデバイス１６が前提とすることができるように、ダウンリンクチャネルにおけるサブフレーム内の非周期的ＣＳＩ−ＲＳの存在を送信機３２を介してワイヤレスデバイスにシグナリングすること（ブロックＳ１３６）をさらに含む。
【０１１５】
図２３は、ワイヤレスデバイス１６におけるダウンリンク制御チャネルと非周期的チャネル状態情報リファレンス信号との間の衝突を回避するための例示的な処理を示すフローチャートである。その処理は、オプションで、ダウンリンク制御チャネルセットでワイヤレスデバイス１６を構成するためのシグナリングをネットワークノード１４から受信機２０を介して受信すること（ブロックＳ１３８）を含み得る。上記処理は、オプションで、ダウンリンク制御チャネルセット構成ユニット５２を介してダウンリンク制御チャネルセットでワイヤレスデバイス１６を構成すること（図示せず）をさらに含んでもよい。上記処理は、オプションで、非周期的ＣＳＩ−ＲＳの存在のインジケーションを物理制御チャネル上でネットワークノード１４から受信機２０を介して受信すること（ブロックＳ１４２）をさらに含んでもよい。上記処理は、非周期的ＣＳＩ−ＲＳがダウンリンク制御チャネルセットに対応する物理レイヤリソース内に存在しないという前提に基づいて、受信機５４を介して非周期的ＣＳＩ−ＲＳを受信すること（図示せず）をさらに含んでもよい。
【０１１６】
図２４は、例示的な処理を示すフローチャートであり、当該処理は、ＤＬ制御チャネルセットに対応する物理レイヤリソース内には非周期的ＣＳＩ−ＲＳが存在しないという前提に基づいて、非周期的ＣＳＩ−ＲＳを受信すること（ブロックＳ１４６）、を含む。
【０１１７】
このように、いくつかの実施形態において、ワイヤレスデバイス１６における方法が提供される。その方法は、非周期的なチャネル状態情報リファレンス信号である非周期的ＣＳＩ−ＲＳがダウンリンク制御チャネルセットに対応する物理レイヤリソース内には存在しないという前提に基づいて非周期的ＣＳＩ−ＲＳを受信することを含む。いくつかの実施形態において、非周期的ＣＳＩ−ＲＳは、少なくともいくつかの定義される条件において物理レイヤリソース内で送信されることができる。いくつかの実施形態において、上記方法は、ダウンリンク制御チャネルセットについてワイヤレスデバイス１６を構成するためのシグナリングを受信することと、非周期的ＣＳＩ−ＲＳの存在のインジケーションを物理制御チャネル上で受信することとのうちの少なくとも一方を含む。いくつかの実施形態において、非周期的ＣＳＩ−ＲＳの存在のインジケーションは、サブフレーム又はスロットのうちの一方に非周期的ＣＳＩ−ＲＳが存在することを指し示す。いくつかの実施形態において、非周期的ＣＳＩ−ＲＳの存在のインジケーションは、予め決定される数のＯＦＤＭシンボルに非周期的ＣＳＩ−ＲＳが存在することを指し示す。
【０１１８】
いくつかの実施形態において、ワイヤレスデバイス１６における方法が提供される。その方法は、非周期的ＣＳＩ−ＲＳがダウンリンク制御チャネルセット内に含まれる物理レイヤリソース内には存在しないという前提に基づいて非周期的ＣＳＩ−ＲＳを受信すること（ブロックＳ１４４）を含む。上記方法は、例えばネットワークノード１４から、ダウンリンク制御チャネルセットでワイヤレスデバイス１６を構成するためのシグナリングを受信すること（ブロックＳ１３８）をさらに含んでもよい。上記方法は、ダウンリンク制御チャネルセットでワイヤレスデバイス１６を構成すること（ブロックＳ１４０）をさらに含んでもよい。上記方法は、非周期的ＣＳＩ−ＲＳの存在のインジケーションをネットワークノード１４から物理制御チャネル上で受信することをさらに含んでもよい（ブロックＳ１４２）。
【０１１９】
いくつかの実施形態において、ワイヤレスデバイス１６が、サブフレームにおいて、ダウンリンク制御チャネルセットにおいて非周期的ＣＳＩ−ＲＳが送信済みであることを指し示すダウンリンク制御チャネルメッセージを受信する場合に、ワイヤレスデバイス１６は、そのサブフレームにおいて、ワイヤレスデバイス１６が構成されるダウンリンク制御チャネルセットに属する物理リソースブロック（ＰＲＢ）内で非周期的ＣＳＩ−ＲＳが送信されないことを前提とする。いくつかの実施形態において、サブフレームにおける非周期的ＣＳＩ−ＲＳの存在が物理ダウンリンク制御チャネル（ＰＤＣＣＨ）により指し示され且つワイヤレスデバイス１６がダウンリンク制御チャネルセットにおいてダウンリンク制御チャネルメッセージを受信しない場合に、ワイヤレスデバイス１６は、そのサブフレームにおいて、ダウンリンク制御チャネルセットに対応する物理リソースブロックであるＰＲＢ内で非周期的ＣＳＩ−ＲＳが送信されることを前提とする。いくつかの実施形態において、サブフレームにおける非周期的ＣＳＩ−ＲＳの存在が物理ダウンリンク制御チャネル（ＰＤＣＣＨ）を介してワイヤレスデバイス１６へ指し示され、ダウンリンク制御チャネルセットにおいて非周期的ＣＳＩ−ＲＳが送信済みであることを指し示すダウンリンク制御チャネルメッセージをワイヤレスデバイス１６が受信しない場合に、ワイヤレスデバイス１６は、そのサブフレームにおいて、ダウンリンク制御チャネルセットに属する物理リソースブロック（ＰＲＢ）に非周期的ＣＳＩ−ＲＳが含まれることを前提とする。いくつかの実施形態において、ダウンリンク制御チャネルメッセージがダウンリンク制御チャネルセットにおいて受信されるかに関わらず、ワイヤレスデバイス１６は、サブフレームにおいて、ワイヤレスデバイス１６が構成されるダウンリンク制御チャネルセットに属する物理リソースブロック（ＰＲＢ）で非周期的ＣＳＩ−ＲＳが送信されないことを前提とする。
【０１２０】
いくつかの実施形態において、非周期的ＣＳＩ−ＲＳが送信済みであることを指し示すダウンリンク制御メッセージをワイヤレスデバイス１６がサブフレームにおいて受信する場合に、ワイヤレスデバイス１６は、ダウンリンク制御チャネルメッセージを搬送する物理リソースブロック（ＰＲＢ）のそのサブフレームにおいて非周期的ＣＳＩ−ＲＳがワイヤレスデバイス１６へ送信されないことを前提とする。いくつかの実施形態において、サブフレームにおける非周期的ＣＳＩ−ＲＳの存在が物理ダウンリンク制御チャネル（ＰＤＣＣＨ）により指し示され且つワイヤレスデバイス１６がダウンリンク制御チャネルメッセージを受信しない場合に、ワイヤレスデバイス１６は、そのサブフレームにおいて、ワイヤレスデバイス１６が構成されるダウンリンク制御チャネルセットに属する物理リソースブロック（ＰＲＢ）で非周期的ＣＳＩ−ＲＳが送信されることを前提とする。いくつかの実施形態において、非周期的ＣＳＩ−ＲＳが送信済みであることを指し示すダウンリンク制御チャネルメッセージをワイヤレスデバイス１６がサブフレームにおいて受信する場合に、ワイヤレスデバイス１６は、ネットワークノード１４がダウンリンク制御チャネルメッセージを搬送する物理リソースブロックであるＰＲＢ内で非周期的ＣＳＩ−ＲＳを当該ワイヤレスデバイス１６へ送信しないことを前提とする。いくつかの実施形態において、サブフレームにおける非周期的ＣＳＩ−ＲＳの存在が物理ダウンリンク制御チャネル（ＰＤＣＣＨ）を介してワイヤレスデバイス１６へ指し示され且つワイヤレスデバイス１６がダウンリンク制御チャネルメッセージを受信しない場合に、ワイヤレスデバイス１６は、そのサブフレームにおいて、ワイヤレスデバイス１６が構成されるダウンリンク制御チャネルセットに属する物理リソースブロック（ＰＲＢ）内で非周期的ＣＳＩ−ＲＳがワイヤレスデバイス１６へ送信されることを前提とする。
【０１２１】
いくつかの実施形態において、ワイヤレスデバイス１６がサブフレームにおいてダウンリンク制御チャネルメッセージを受信する場合に、ワイヤレスデバイス１６は、そのサブフレームにおいて、ダウンリンク制御チャネルメッセージを搬送するリソースエレメントであるいずれのＲＥ内でも非周期的ＣＳＩ−ＲＳがワイヤレスデバイス１６へ送信されないことを前提とする。いくつかの実施形態において、サブフレームにおける非周期的ＣＳＩ−ＲＳの存在が物理ダウンリンク制御チャネル（ＰＤＣＣＨ）により指し示され且つワイヤレスデバイス１６がダウンリンク制御チャネルメッセージを受信しない場合に、ワイヤレスデバイス１６は、そのサブフレームにおいて、ワイヤレスデバイス１６が構成されるダウンリンク制御チャネルセットに属する全てのリソースエレメントであるＲＥ内で非周期的ＣＳＩ−ＲＳが送信され得ることを前提とする。いくつかの実施形態において、フレーム構造タイプ２について、ワイヤレスデバイス１６は非周期的ＣＳＩ−ＲＳがダウンリンクパイロット時間スロットにおいて送信されないことを前提とする。いくつかの実施形態において、ワイヤレスデバイス１６は、非周期的ＣＳＩ−ＲＳの送信がＳｙｓｔｅｍＩｎｆｏｒｍａｔｉｏｎＢｌｏｃｋＴｙｐｅ１メッセージと衝突することになるサブフレームにおいて非周期的ＣＳＩ−ＲＳが送信されないことを前提とする。いくつかの実施形態において、ワイヤレスデバイス１６は、サブフレームにおいて、ワイヤレスデバイス１６が構成されるダウンリンク制御チャネルセットに属する物理リソースブロックペア内で非周期的ＣＳＩ−ＲＳが送信されないことを前提とする。
【０１２２】
いくつかの実施形態において、ワイヤレスデバイス１６は、非周期的トリガを使用する非周期的ＣＳＩ−ＲＳのトリガに関連付けられるダウンリンク制御チャネルを搬送する物理リソースブロックペア内で非周期的ＣＳＩ−ＲＳが送信されないことを前提とする。いくつかの実施形態において、ワイヤレスデバイス１６は、非周期的トリガを使用する非周期的ＣＳＩ−ＲＳのトリガに関連付けられるダウンリンク制御チャネルを搬送するいずれのリソースエレメント（ＲＥ）でも非周期的ＣＳＩ−ＲＳが送信されないことを前提とする。いくつかの実施形態において、ＬＴＥ（ｌｏｎｇ  ｔｅｒｍ  ｅｖｏｌｕｔｉｏｎ）通信システムにおいて、ダウンリンク制御チャネルは拡張物理ダウンリンク制御チャネル（ＥＰＤＣＣＨ）であり、ダウンリンク制御チャネルメッセージはＥＰＤＣＣＨメッセージである。いくつかの実施形態において、ダウンリンク制御チャネルセットは、ＮＲ（Ｎｅｗ  Ｒａｄｉｏ）通信システムにおけるコアセットである。
【０１２３】
いくつかの実施形態において、ダウンリンク制御チャネルとチャネル状態情報リファレンス信号（非周期的ＣＳＩ−ＲＳ）との間の衝突を回避する、ように構成されるワイヤレスデバイス１６が提供される。ワイヤレスデバイス１６は、ネットワークノードから受信したシグナリングに従ってダウンリンク制御チャネルセットでワイヤレスデバイス１６を構成する、ように構成される処理回路４２を含む。ワイヤレスデバイス１６は、ダウンリンク制御チャネルセットでワイヤレスデバイス１６を構成するためのシグナリングをネットワークノード１４から受信する、ように構成される送受信機４８をさらに含む。送受信機４８は、サブフレームにおける非周期的ＣＳＩ−ＲＳの存在のインジケーションを物理制御チャネル上でネットワークノード１４から受信する、ようにさらに構成される。送受信機４８は、非周期的ＣＳＩ−ＲＳがダウンリンク制御チャネルセット内に含まれる物理レイヤリソース内に存在しないという前提に基づいて非周期的ＣＳＩ−ＲＳを受信する、ようにさらに構成される。いくつかの実施形態において、非周期的ＣＳＩ−ＲＳの存在のインジケーションは、サブフレーム又はスロットのうちの一方に非周期的ＣＳＩ−ＲＳが存在することを指し示す。いくつかの実施形態において、非周期的ＣＳＩ−ＲＳの存在のインジケーションは、予め決定される数のＯＦＤＭシンボルに非周期的ＣＳＩ−ＲＳが存在することを指し示す。
【０１２４】
いくつかの実施形態において、ワイヤレスデバイス１６が、サブフレームにおいて、ダウンリンク制御チャネルセットにおいて非周期的ＣＳＩ−ＲＳが送信済みであることを指し示すダウンリンク制御チャネルメッセージを受信する場合に、ワイヤレスデバイス１６は、そのサブフレームにおいて、ワイヤレスデバイス１６が構成されるダウンリンク制御チャネルセットに属する物理リソースブロック（ＰＲＢ）内で非周期的ＣＳＩ−ＲＳが送信されないことを前提とする。いくつかの実施形態において、サブフレームにおける非周期的ＣＳＩ−ＲＳの存在が物理ダウンリンク制御チャネル（ＰＤＣＣＨ）により指し示され且つワイヤレスデバイス１６がダウンリンク制御チャネルセットにおいてダウンリンク制御チャネルメッセージを受信しない場合に、ワイヤレスデバイス１６は、そのサブフレームにおいて、ダウンリンク制御チャネルセットに対応する物理リソースブロックであるＰＲＢ内で非周期的ＣＳＩ−ＲＳが送信されることを前提とする。いくつかの実施形態において、サブフレームにおける非周期的ＣＳＩ−ＲＳの存在が物理ダウンリンク制御チャネル（ＰＤＣＣＨ）を介してワイヤレスデバイス１６へ指し示され且つダウンリンク制御チャネルセットにおいて非周期的ＣＳＩ−ＲＳが送信済みであることを指し示すダウンリンク制御チャネルメッセージをワイヤレスデバイス１６が受信しない場合に、ワイヤレスデバイス１６は、そのサブフレームにおいて、ダウンリンク制御チャネルセットに属する物理リソースブロック（ＰＲＢ）内に非周期的ＣＳＩ−ＲＳが含まれることを前提とする。
【０１２５】
いくつかの実施形態において、ダウンリンク制御チャネルメッセージがダウンリンク制御チャネルセットにおいて受信されるかに関わらず、ワイヤレスデバイス１６は、サブフレームにおいて、ワイヤレスデバイス１６が構成されるダウンリンク制御チャネルセットに属する物理リソースブロック（ＰＲＢ）内で非周期的ＣＳＩ−ＲＳが送信されないことを前提とする。いくつかの実施形態において、非周期的ＣＳＩ−ＲＳが送信済みであることを指し示すダウンリンク制御メッセージをワイヤレスデバイス１６がサブフレームにおいて受信する場合に、ワイヤレスデバイス１６は、ダウンリンク制御チャネルメッセージを搬送する物理リソースブロック（ＰＲＢ）のサブフレームにおいて非周期的ＣＳＩ−ＲＳがワイヤレスデバイス１６へ送信されないことを前提とする。いくつかの実施形態において、サブフレームにおける非周期的ＣＳＩ−ＲＳの存在が物理ダウンリンク制御チャネル（ＰＤＣＣＨ）により指し示され且つワイヤレスデバイス１６がダウンリンク制御チャネルメッセージを受信しない場合に、ワイヤレスデバイス１６は、そのサブフレームにおいて、ワイヤレスデバイス１６が構成されるダウンリンク制御チャネルセットに属する物理リソースブロック（ＰＲＢ）内で非周期的ＣＳＩ−ＲＳが送信されることを前提とする。
【０１２６】
いくつかの実施形態において、非周期的ＣＳＩ−ＲＳが送信済みであることを指し示すダウンリンク制御チャネルメッセージをワイヤレスデバイス１６がサブフレームにおいて受信する場合に、ワイヤレスデバイス１６は、ネットワークノード１４がダウンリンク制御チャネルメッセージを搬送する物理リソースブロック（ＰＲＢ）内で非周期的ＣＳＩ−ＲＳを当該ワイヤレスデバイス１６へ送信しないことを前提とする。いくつかの実施形態において、サブフレームにおける非周期的ＣＳＩ−ＲＳの存在が物理ダウンリンク制御チャネル（ＰＤＣＣＨ）を介してワイヤレスデバイス１６へ指し示され且つワイヤレスデバイス１６がダウンリンク制御チャネルメッセージを受信しない場合に、ワイヤレスデバイス１６は、そのサブフレームにおいて、ワイヤレスデバイス１６が構成されるダウンリンク制御チャネルセットに属する物理リソースブロック（ＰＲＢ）内で非周期的ＣＳＩ−ＲＳがワイヤレスデバイス１６へ送信されることを前提とする。いくつかの実施形態において、ワイヤレスデバイス１６がサブフレームにおいてダウンリンク制御チャネルメッセージを受信する場合に、ワイヤレスデバイス１６は、そのサブフレームにおいて、ダウンリンク制御チャネルメッセージを搬送するリソースエレメントであるいずれのＲＥ内でも非周期的ＣＳＩ−ＲＳがワイヤレスデバイス１６へ送信されないことを前提とする。いくつかの実施形態において、サブフレームにおける非周期的ＣＳＩ−ＲＳの存在が物理ダウンリンク制御チャネル（ＰＤＣＣＨ）により指し示され且つワイヤレスデバイス１６がダウンリンク制御チャネルメッセージを受信しない場合に、ワイヤレスデバイス１６は、そのサブフレームにおいて、ワイヤレスデバイス１６が構成されるダウンリンク制御チャネルセットに属する全てのリソースエレメントであるＲＥ内で非周期的ＣＳＩ−ＲＳが送信され得ることを前提とする。
【０１２７】
いくつかの実施形態において、フレーム構造タイプ２について、ワイヤレスデバイス１６は非周期的ＣＳＩ−ＲＳがダウンリンクパイロット時間スロットにおいて送信されないことを前提とする。いくつかの実施形態において、ワイヤレスデバイス１６は、非周期的ＣＳＩ−ＲＳの送信がＳｙｓｔｅｍＩｎｆｏｒｍａｔｉｏｎＢｌｏｃｋＴｙｐｅ１メッセージと衝突することになるサブフレームにおいて非周期的ＣＳＩ−ＲＳが送信されないことを前提とする。いくつかの実施形態において、ワイヤレスデバイス１６は、サブフレームにおいて、ワイヤレスデバイス１６が構成されるダウンリンク制御チャネルセットに属する物理リソースブロックペア内で非周期的ＣＳＩ−ＲＳが送信されないことを前提とする。いくつかの実施形態において、ワイヤレスデバイス１６は、非周期的トリガを使用する非周期的ＣＳＩ−ＲＳのトリガに関連付けられるダウンリンク制御チャネルを搬送する物理リソースブロックペア内で非周期的ＣＳＩ−ＲＳが送信されないことを前提とする。いくつかの実施形態において、ワイヤレスデバイス１６は、非周期的トリガを使用する非周期的ＣＳＩ−ＲＳのトリガに関連付けられるダウンリンク制御チャネルを搬送するいずれのリソースエレメント（ＲＥ）でも非周期的ＣＳＩ−ＲＳが送信されないことを前提とする。いくつかの実施形態において、ＬＴＥ（ｌｏｎｇ  ｔｅｒｍ  ｅｖｏｌｕｔｉｏｎ）通信システムにおいて、ダウンリンク制御チャネルは拡張物理ダウンリンク制御チャネル（ＥＰＤＣＣＨ）であり、ダウンリンク制御チャネルメッセージはＥＰＤＣＣＨメッセージである。いくつかの実施形態において、ダウンリンク制御チャネルセットは、ＮＲ（Ｎｅｗ  Ｒａｄｉｏ）通信システムにおけるコアセットである。
【０１２８】
いくつかの実施形態において、ダウンリンク制御チャネルとチャネル状態情報リファレンス信号（非周期的ＣＳＩ−ＲＳ）との間の衝突を回避する、ように構成されるワイヤレスデバイス１６が提供される。ワイヤレスデバイス１６は、ダウンリンク制御チャネルセットでワイヤレスデバイス１６を構成するためのシグナリングをネットワークノード１４から受信する、ように構成されるダウンリンク制御チャネルセット構成受信機モジュール２０を含む。ワイヤレスデバイス１６は、ネットワークノード１４から受信したシグナリングに従ってダウンリンク制御チャネルセットでワイヤレスデバイス１６を構成する、ように構成されるダウンリンク制御チャネルセット構成モジュール５３をさらに含む。ワイヤレスデバイス１６は、サブフレームにおける非周期的ＣＳＩ−ＲＳの存在のインジケーションをネットワークノードから物理制御チャネル上で受信する、ように構成される非周期的ＣＳＩ−ＲＳインジケーション受信機モジュール５５をさらに含む。ワイヤレスデバイス１６は、ダウンリンク制御チャネルセット内に含まれる物理レイヤリソース内には非周期的ＣＳＩ−ＲＳが存在しないという前提に基づいて非周期的ＣＳＩ−ＲＳを受信する、ように構成される非周期的ＣＳＩ−ＲＳ受信機モジュール５７をさらに含む。
【０１２９】
いくつかの実施形態において、ネットワークノード１４におけるダウンリンク制御チャネルとチャネル状態情報リファレンス信号である非周期的ＣＳＩ−ＲＳとの間の衝突を回避する方法が提供される。その方法は、非周期的ＣＳＩ−ＲＳを含まないダウンリンク制御チャネルセットでワイヤレスデバイス１６を構成するようにワイヤレスデバイス１６にシグナリングすること（ブロックＳ１３４）を含む。上記方法は、ダウンリンク制御チャネルセット内に含まれる物理レイヤリソース内に非周期的ＣＳＩ−ＲＳが存在しないことをワイヤレスデバイス１６が前提とすることができるように、ダウンリンクチャネルにおけるサブフレーム内の非周期的ＣＳＩ−ＲＳの存在をワイヤレスデバイス１６にシグナリングすること（ブロックＳ１３６）をさらに含む。
【０１３０】
いくつかの実施形態において、ネットワークノードは、サブフレームにおいて、ワイヤレスデバイスに対して構成されたダウンリンク制御チャネルセットに属する対応する物理リソースブロック（ＰＲＢ）内で非周期的ＣＳＩ−ＲＳをワイヤレスデバイスへ送信しない。いくつかの実施形態において、ネットワークノードは、サブフレームにおける非周期的ＣＳＩ−ＲＳの存在を指し示し、ワイヤレスデバイスは、非周期的ＣＳＩ−ＲＳがダウンリンク制御チャネルセットに存在しないことを前提としない。いくつかの実施形態において、ネットワークノード１４はサブフレームにおける非周期的ＣＳＩ−ＲＳの存在を指し示し、そのサブフレームにおいて、ダウンリンク制御チャネルセットに属する全てのリソースエレメント内で非周期的ＣＳＩ−ＲＳを送信する。
【０１３１】
いくつかの実施形態において、ダウンリンク制御チャネルとチャネル状態情報リファレンス信号である非周期的ＣＳＩ−ＲＳとの間の衝突を回避するために構成されるネットワークノード１４が提供される。ネットワークノード１４は、非周期的ＣＳＩ−ＲＳを含まないダウンリンク制御チャネルセットでワイヤレスデバイス１６を構成するようにワイヤレスデバイス１６にシグナリングする、ように構成される送受信機２８を含む。送受信機２８は、ダウンリンク制御チャネルセット内に含まれる物理レイヤリソース内に非周期的ＣＳＩ−ＲＳが存在しないことをワイヤレスデバイス１６が前提とすることができるように、ダウンリンクチャネルにおけるサブフレーム内の非周期的ＣＳＩ−ＲＳの存在をワイヤレスデバイスにシグナリングする、ように構成される。
【０１３２】
いくつかの実施形態において、ネットワークノード１４は、サブフレームにおいて、ワイヤレスデバイス１６に対して構成されたダウンリンク制御チャネルセットに属する対応する物理リソースブロック（ＰＲＢ）内で非周期的ＣＳＩ−ＲＳをワイヤレスデバイス１６へ送信しない。いくつかの実施形態において、ネットワークノード１４は、サブフレームにおける非周期的ＣＳＩ−ＲＳの存在を指し示し、ワイヤレスデバイス１６は、非周期的ＣＳＩ−ＲＳがダウンリンク制御チャネルセットに存在しないことを前提としない。いくつかの実施形態において、ネットワークノード１６は、サブフレームにおける非周期的ＣＳＩ−ＲＳの存在を指し示し、そのサブフレームにおいて、ダウンリンク制御チャネルセットに属する全てのリソースエレメント内で非周期的ＣＳＩ−ＲＳを送信する。
【０１３３】
いくつかの実施形態において、ダウンリンク制御チャネルとチャネル状態情報リファレンス信号である非周期的ＣＳＩ−ＲＳとの間の衝突を回避するために構成されるネットワークノード１４が提供される。ネットワークノード１４は、非周期的ＣＳＩ−ＲＳを含まないダウンリンク制御チャネルセットでワイヤレスデバイス１６を構成するようにワイヤレスデバイス１６にシグナリングする、ように構成される送受信機モジュール２９を含む。送受信機モジュール２９は、ダウンリンク制御チャネルセット内に含まれる（又は対応する）物理レイヤリソース内に非周期的ＣＳＩ−ＲＳが存在しないことをワイヤレスデバイス１６が前提とすることができるように、ダウンリンクチャネルにおけるサブフレーム内の非周期的ＣＳＩ−ＲＳの存在をワイヤレスデバイス１６にシグナリングする、ようにさらに構成される。
【０１３４】
当業者には認識されるように、本開示において、“〜に属するリソース”は“〜に対応するリソース”として解釈されてもよい。
【０１３５】
いくつかの実施形態は以下を含む。
【０１３６】
実施形態１．  ワイヤレスデバイスにおけるＥＰＤＣＣＨとＣＳＩ−ＲＳとの間の衝突を回避する方法であって、
ＥＰＤＣＣＨセットでワイヤレスデバイスを構成するシグナリングを受信し、及び、サブフレームにおける存在が物理制御チャネルにおいてワイヤレスデバイスに指し示されるＣＳＩ−ＲＳを受信することと、
ＣＳＩ−ＲＳが上記ＥＰＤＣＣＨセット内に含まれる物理レイヤリソース内には存在しないという前提に基づいてＣＳＩ−ＲＳを受信することと、
を含む方法。
【０１３７】
実施形態２．  実施形態１の方法であって、ワイヤレスデバイスは、サブフレームにおいて、ＷＤに対して構成されたＥＰＤＣＣＨセットに属するＰＲＢ内でＣＳＩ−ＲＳが送信されないことを前提とし得る。
【０１３８】
実施形態３．  実施形態１の方法であって、ＥＰＤＣＣＨセットにおいてＣＳＩ−ＲＳが送信済みであることを指し示すＥＰＤＣＣＨメッセージをワイヤレスデバイスがサブフレームにおいて受信する場合に、ワイヤレスデバイスは、上記サブフレームにおいて、当該ＥＰＤＣＣＨセットに属するＰＲＢ内でＣＳＩ−ＲＳが送信されないことを前提とし得る。
【０１３９】
実施形態４．  実施形態１の方法であって、サブフレームにおけるＣＳＩ−ＲＳの送信の存在がＰＤＣＣＨにより指し示され且つワイヤレスデバイスがＥＰＤＣＣＨセットにおいてＥＰＤＣＣＨメッセージを受信しない場合に、ワイヤレスデバイスは、上記サブフレームにおいて、当該ＥＰＤＣＣＨセットに属するＰＲＢ内でＣＳＩ−ＲＳが送信されることを前提とし得る。
【０１４０】
実施形態５．  実施形態１の方法であって、ワイヤレスデバイスがサブフレームにおいてＥＰＤＣＣＨメッセージを受信する場合に、ワイヤレスデバイスは、上記サブフレームにおいて、ＣＳＩ−ＲＳが送信済みであることを指し示すＥＰＤＣＣＨメッセージを搬送するＰＲＢ内でＣＳＩ−ＲＳがワイヤレスデバイスへ送信されないことを前提とし得る。
【０１４１】
実施形態６．  実施形態１の方法であって、サブフレームにおいてＣＳＩ−ＲＳが送信済みであることを指し示すＥＰＤＣＣＨメッセージをワイヤレスデバイスが受信する場合に、ワイヤレスデバイスは、上記サブフレームにおいて、ＥＰＤＣＣＨメッセージを搬送するいずれのＲＥでもＣＳＩ−ＲＳがワイヤレスデバイスへ送信されないことを前提とし得る。
【０１４２】
実施形態７．  ＥＰＤＣＣＨとＣＳＩ−ＲＳとの間の衝突を回避する、ように構成されるワイヤレスデバイスであって、
メモリ及びプロセッサを含む処理回路を備え、メモリは、プロセッサにより実行された場合に、
ＥＰＤＣＣＨセットでワイヤレスデバイスを構成するシグナリングを受信し、及び、サブフレームにおける存在が物理制御チャネルにおいてワイヤレスデバイスに指し示されるＣＳＩ−ＲＳを受信することと、
ＣＳＩ−ＲＳがＥＰＤＣＣＨセット内に含まれる物理レイヤリソース内には存在しないという前提に基づいてＣＳＩ−ＲＳを受信することと、
をプロセッサに行わせる命令群、を含む、ワイヤレスデバイス。
【０１４３】
実施形態８．  実施形態７のワイヤレスデバイスであって、ワイヤレスデバイスは、サブフレームにおいて、ＷＤに対して構成されたＥＰＤＣＣＨセットに属するＰＲＢ内でＣＳＩ−ＲＳが送信されないことを前提とし得る。
【０１４４】
実施形態９．  実施形態７のワイヤレスデバイスであって、ＥＰＤＣＣＨセットにおいてＣＳＩ−ＲＳが送信済みであることを指し示すＥＰＤＣＣＨメッセージをワイヤレスデバイスがサブフレームにおいて受信する場合に、ワイヤレスデバイスは、上記サブフレームにおいて、当該ＥＰＤＣＣＨセットに属するＰＲＢ内でＣＳＩ−ＲＳが送信されないことを前提とし得る。
【０１４５】
実施形態１０．  実施形態７のワイヤレスデバイスであって、サブフレームにおけるＣＳＩ−ＲＳの送信の存在がＰＤＣＣＨにより指し示され且つワイヤレスデバイスがＥＰＤＣＣＨセットにおいてＥＰＤＣＣＨメッセージを受信しない場合に、ワイヤレスデバイスは、上記サブフレームにおいて、当該ＥＰＤＣＣＨセットに属するＰＲＢ内でＣＳＩ−ＲＳが送信されることを前提とし得る。
【０１４６】
実施形態１１．  実施形態７のワイヤレスデバイスであって、ワイヤレスデバイスがサブフレームにおいてＥＰＤＣＣＨメッセージを受信する場合に、ワイヤレスデバイスは、上記サブフレームにおいて、ＣＳＩ−ＲＳが送信済みであることを指し示すＥＰＤＣＣＨメッセージを搬送するＰＲＢ内でＣＳＩ−ＲＳがワイヤレスデバイスへ送信されないことを前提とし得る。
【０１４７】
実施形態１２．  実施形態７のワイヤレスデバイスであって、サブフレームにおいてＣＳＩ−ＲＳが送信済みであることを指し示すＥＰＤＣＣＨメッセージをワイヤレスデバイスが受信する場合に、ワイヤレスデバイスは、上記サブフレームにおいて、ＥＰＤＣＣＨメッセージを搬送するいずれのＲＥでもＣＳＩ−ＲＳがワイヤレスデバイスへ送信されないことを前提とし得る。
【０１４８】
実施形態１３．  ＥＰＤＣＣＨとＣＳＩ−ＲＳとの間の衝突を回避する、ように構成されるワイヤレスデバイスであって、
ＥＰＤＣＣＨセットでワイヤレスデバイスを構成するシグナリングを受信し、及び、サブフレームにおける存在が物理制御チャネルにおいてワイヤレスデバイスに指し示されるＣＳＩ−ＲＳを受信する、ように構成されるＥＰＤＣＣＨ構成モジュールと、
ＣＳＩ−ＲＳがＥＰＤＣＣＨセット内に含まれる物理レイヤリソース内には存在しないという前提に基づいてＣＳＩ−ＲＳを受信する、ように構成されるＣＳＩ−ＲＳ受信機モジュールと、
を備えるワイヤレスデバイス。
【０１４９】
いくつかの実施形態において、ワイヤレスデバイスにおける方法が提供される。その方法は、非周期的ＣＳＩ−ＲＳがダウンリンク制御チャネルセット内に含まれる物理レイヤリソース内には存在しないという前提に基づいて非周期的ＣＳＩ−ＲＳを受信することを含む。上記方法は、ダウンリンク制御チャネルセットでワイヤレスデバイスを構成するためのシグナリングを受信することをさらに含んでもよい。上記方法は、サブフレームにおける非周期的ＣＳＩ−ＲＳの存在のインジケーションをネットワークノードから物理制御チャネル上で受信することをさらに含んでもよい。
【０１５０】
いくつかの実施形態において、非周期的ＣＳＩ−ＲＳの存在のインジケーションは、サブフレーム又はスロットのうちの一方に非周期的ＣＳＩ−ＲＳが存在することを指し示す。いくつかの実施形態において、非周期的ＣＳＩ−ＲＳの存在のインジケーションは、予め決定される数のＯＦＤＭシンボルに非周期的ＣＳＩ−ＲＳが存在することを指し示す。
【０１５１】
いくつかの実施形態において、非周期的ＣＳＩ−ＲＳは、少なくともいくつかの定義される条件において物理レイヤリソース内で送信されることができる。
【０１５２】
いくつかの実施形態において、ワイヤレスデバイスが、サブフレームにおいて、ダウンリンク制御チャネルセットにおいて非周期的ＣＳＩ−ＲＳが送信済みであることを指し示すダウンリンク制御チャネルメッセージを受信する場合に、ワイヤレスデバイスは、そのサブフレームにおいて、ワイヤレスデバイスが構成されるダウンリンク制御チャネルセットに対応する物理リソースブロックであるＰＲＢ内で非周期的ＣＳＩ−ＲＳが送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルセットにおいてダウンリンク制御チャネルメッセージを受信しない場合に、ワイヤレスデバイスは、そのサブフレームにおいて、ダウンリンク制御チャネルセットに対応する物理リソースブロックであるＰＲＢ内で非周期的ＣＳＩ−ＲＳが送信されることを前提とする。いくつかの実施形態において、サブフレームにおける非周期的ＣＳＩ−ＲＳの存在がＰＤＣＣＨといったダウンリンク制御チャネルを介してワイヤレスデバイスへ指し示され、ダウンリンク制御チャネルセットにおいて非周期的ＣＳＩ−ＲＳが送信済みであることを指し示すダウンリンク制御チャネルメッセージをワイヤレスデバイスが受信しない場合に、ワイヤレスデバイスは、そのサブフレームにおいて、ダウンリンク制御チャネルセットに対応する物理リソースブロックであるＰＲＢ内に非周期的ＣＳＩ−ＲＳが含まれることを前提とする。いくつかの実施形態において、ダウンリンク制御チャネルメッセージがダウンリンク制御チャネルセットにおいて受信されるかに関わらず、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳが送信されないことを前提とする。
【０１５３】
いくつかの実施形態において、非周期的ＣＳＩ−ＲＳが送信済みであることを指し示すダウンリンク制御メッセージをワイヤレスデバイスがサブフレームにおいて受信する場合に、ワイヤレスデバイスは、ダウンリンク制御チャネルメッセージを搬送する物理リソースブロックであるＰＲＢのそのサブフレームにおいて非周期的ＣＳＩ−ＲＳがワイヤレスデバイスへ送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルメッセージを受信しない場合に、ワイヤレスデバイスは、そのサブフレームにおいて、ワイヤレスデバイスが構成されるダウンリンク制御チャネルセットに対応する物理リソースブロックであるＰＲＢ内で非周期的ＣＳＩ−ＲＳが送信されることを前提とする。いくつかの実施形態において、非周期的ＣＳＩ−ＲＳが送信済みであることを指し示すダウンリンク制御チャネルメッセージをワイヤレスデバイスがサブフレームにおいて受信する場合に、ワイヤレスデバイスは、ネットワークノードがダウンリンク制御チャネルメッセージを搬送する物理リソースブロックであるＰＲＢ内で非周期的ＣＳＩ−ＲＳを当該ワイヤレスデバイスへ送信しないことを前提とする。いくつかの実施形態において、サブフレームにおける非周期的ＣＳＩ−ＲＳの存在がＰＤＣＣＨといったダウンリンク制御チャネルを介してワイヤレスデバイスへ指し示され且つワイヤレスデバイスがダウンリンク制御チャネルメッセージを受信しない場合に、ワイヤレスデバイスは、そのサブフレームにおいて、ワイヤレスデバイスが構成されるダウンリンク制御チャネルセットに対応する物理リソースブロックであるＰＲＢ内で非周期的ＣＳＩ−ＲＳがワイヤレスデバイスへ送信されることを前提とする。
【０１５４】
いくつかの実施形態において、ワイヤレスデバイスがサブフレームにおいてダウンリンク制御チャネルメッセージを受信する場合に、ワイヤレスデバイスは、そのサブフレームにおいて、ダウンリンク制御チャネルメッセージを搬送するリソースエレメントであるいずれのＲＥ内でも非周期的ＣＳＩ−ＲＳがワイヤレスデバイスへ送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルメッセージを受信しない場合に、ワイヤレスデバイスは、そのサブフレームにおいて、ワイヤレスデバイスが構成されるダウンリンク制御チャネルセットに対応する全てのリソースエレメントであるＲＥ内で非周期的ＣＳＩ−ＲＳが送信され得ることを前提とする。いくつかの実施形態において、フレーム構造タイプ２について、ワイヤレスデバイスは非周期的ＣＳＩ−ＲＳがダウンリンクパイロット時間スロットにおいて送信されないことを前提とする。いくつかの実施形態において、ワイヤレスデバイスは、非周期的ＣＳＩ−ＲＳの送信がＳｙｓｔｅｍＩｎｆｏｒｍａｔｉｏｎＢｌｏｃｋＴｙｐｅ１メッセージと衝突することになるサブフレームにおいて非周期的ＣＳＩ−ＲＳが送信されないことを前提とする。いくつかの実施形態において、ワイヤレスデバイスは、サブフレームにおいて、ワイヤレスデバイスが構成されるダウンリンク制御チャネルセットに対応する物理リソースブロックペア内で非周期的ＣＳＩ−ＲＳが送信されないことを前提とする。
【０１５５】
いくつかの実施形態において、ワイヤレスデバイスは、非周期的トリガを使用する非周期的ＣＳＩ−ＲＳのトリガに関連付けられるダウンリンク制御チャネルを搬送する物理リソースブロックペア内で非周期的ＣＳＩ−ＲＳが送信されないことを前提とする。いくつかの実施形態において、ワイヤレスデバイスは、非周期的トリガを使用する非周期的ＣＳＩ−ＲＳのトリガに関連付けられるダウンリンク制御チャネルを搬送するリソースエレメントであるいずれのＲＥ内でも非周期的ＣＳＩ−ＲＳが送信されないことを前提とする。いくつかの実施形態において、ＬＴＥ（ｌｏｎｇ  ｔｅｒｍ  ｅｖｏｌｕｔｉｏｎ）通信システムにおいて、ダウンリンク制御チャネルは拡張物理ダウンリンク制御チャネルであるＥＰＤＣＣＨであり、ダウンリンク制御チャネルメッセージはＥＰＤＣＣＨメッセージである。
【０１５６】
いくつかの実施形態において、ワイヤレスデバイスが提供される。ワイヤレスデバイスは、非周期的ＣＳＩ−ＲＳがダウンリンク制御チャネルセットに内に含まれる物理レイヤリソース内には存在しないという前提に基づいて、非周期的ＣＳＩ−ＲＳを受信する、ように構成される処理回路を含む。処理回路は、ダウンリンク制御チャネルセットでワイヤレスデバイスを構成するためのシグナリングをネットワークノードから受信すること及び／又は非周期的ＣＳＩ−ＲＳの存在のインジケーションをネットワークノードから物理制御チャネル上で受信することを実行する、ようにさらに構成されてもよい。
【０１５７】
いくつかの実施形態において、ワイヤレスデバイスが、サブフレームにおいて、ダウンリンク制御チャネルセットにおいて非周期的ＣＳＩ−ＲＳが送信済みであることを指し示すダウンリンク制御チャネルメッセージを受信する場合に、ワイヤレスデバイスは、そのサブフレームにおいて、ワイヤレスデバイスが構成されるダウンリンク制御チャネルセットに対応する物理リソースブロックであるＰＲＢ内で非周期的ＣＳＩ−ＲＳが送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルセットにおいてダウンリンク制御チャネルメッセージを受信しない場合に、ワイヤレスデバイスは、そのサブフレームにおいて、ダウンリンク制御チャネルセットに対応する物理リソースブロックであるＰＲＢ内で非周期的ＣＳＩ−ＲＳが送信されることを前提とする。いくつかの実施形態において、サブフレームにおける非周期的ＣＳＩ−ＲＳの存在がＰＤＣＣＨといったダウンリンク制御チャネルを介してワイヤレスデバイスへ指し示され且つダウンリンク制御チャネルセットにおいて非周期的ＣＳＩ−ＲＳが送信済みであることを指し示すダウンリンク制御チャネルメッセージをワイヤレスデバイスが受信しない場合に、ワイヤレスデバイスは、そのサブフレームにおいて、ダウンリンク制御チャネルセットに対応する物理リソースブロックであるＰＲＢ内に非周期的ＣＳＩ−ＲＳが含まれることを前提とする。
【０１５８】
いくつかの実施形態において、ダウンリンク制御チャネルメッセージがダウンリンク制御チャネルセットにおいて受信されるかに関わらず、ワイヤレスデバイスは、サブフレームにおいて、ワイヤレスデバイスが構成されるダウンリンク制御チャネルセットに対応する物理リソースブロックであるＰＲＢ内で非周期的ＣＳＩ−ＲＳが送信されないことを前提とする。いくつかの実施形態において、非周期的ＣＳＩ−ＲＳが送信済みであることを指し示すダウンリンク制御メッセージをワイヤレスデバイスがサブフレームにおいて受信する場合に、ワイヤレスデバイスは、ダウンリンク制御チャネルメッセージを搬送する物理リソースブロックであるＰＲＢのそのサブフレームにおいて非周期的ＣＳＩ−ＲＳがワイヤレスデバイスへ送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルメッセージを受信しない場合に、ワイヤレスデバイスは、そのサブフレームにおいて、ワイヤレスデバイスが構成されるダウンリンク制御チャネルセットに対応する物理リソースブロックであるＰＲＢ内で非周期的ＣＳＩ−ＲＳが送信されることを前提とする。
【０１５９】
いくつかの実施形態において、非周期的ＣＳＩ−ＲＳが送信済みであることを指し示すダウンリンク制御チャネルメッセージをワイヤレスデバイスがサブフレームにおいて受信する場合に、ワイヤレスデバイスは、ネットワークノードがダウンリンク制御チャネルメッセージを搬送する物理リソースブロックであるＰＲＢ内で非周期的ＣＳＩ−ＲＳを当該ワイヤレスデバイスへ送信しないことを前提とする。いくつかの実施形態において、サブフレームにおける非周期的ＣＳＩ−ＲＳの存在がＰＤＣＣＨといったダウンリンク制御チャネルを介してワイヤレスデバイスへ指し示され且つワイヤレスデバイスがダウンリンク制御チャネルメッセージを受信しない場合に、ワイヤレスデバイスは、そのサブフレームにおいて、ワイヤレスデバイスが構成されるダウンリンク制御チャネルセットに対応する物理リソースブロックであるＰＲＢ内で非周期的ＣＳＩ−ＲＳがワイヤレスデバイスへ送信されることを前提とする。いくつかの実施形態において、ワイヤレスデバイスがサブフレームにおいてダウンリンク制御チャネルメッセージを受信する場合に、ワイヤレスデバイスは、そのサブフレームにおいて、ダウンリンク制御チャネルメッセージを搬送するリソースエレメントであるいずれのＲＥ内でも非周期的ＣＳＩ−ＲＳがワイヤレスデバイスへ送信されないことを前提とする。いくつかの実施形態において、サブフレームにおける非周期的ＣＳＩ−ＲＳの存在がＰＤＣＣＨといったダウンリンク制御チャネルにより指し示され且つワイヤレスデバイスがダウンリンク制御チャネルメッセージを受信しない場合に、ワイヤレスデバイスは、そのサブフレームにおいて、ワイヤレスデバイスが構成されるダウンリンク制御チャネルセットに対応する全てのリソースエレメントであるＲＥ内で非周期的ＣＳＩ−ＲＳが送信され得ることを前提とする。
【０１６０】
いくつかの実施形態において、フレーム構造タイプ２について、ワイヤレスデバイスは、非周期的ＣＳＩ−ＲＳがダウンリンクパイロット時間スロットにおいて送信されないことを前提とする。いくつかの実施形態において、ワイヤレスデバイスは、非周期的ＣＳＩ−ＲＳの送信がＳｙｓｔｅｍＩｎｆｏｒｍａｔｉｏｎＢｌｏｃｋＴｙｐｅ１メッセージと衝突することになるサブフレームにおいて非周期的ＣＳＩ−ＲＳが送信されないことを前提とする。いくつかの実施形態において、ワイヤレスデバイスは、サブフレームにおいて、ワイヤレスデバイスが構成されるダウンリンク制御チャネルセットに対応する物理リソースブロックペア内で非周期的ＣＳＩ−ＲＳが送信されないことを前提とする。いくつかの実施形態において、ワイヤレスデバイスは、非周期的トリガを使用する非周期的ＣＳＩ−ＲＳのトリガに関連付けられるダウンリンク制御チャネルを搬送する物理リソースブロックペア内で非周期的ＣＳＩ−ＲＳが送信されないことを前提とする。いくつかの実施形態において、ワイヤレスデバイスは、非周期的トリガを使用する非周期的ＣＳＩ−ＲＳのトリガに関連付けられるダウンリンク制御チャネルを搬送するリソースエレメントであるいずれのＲＥ内でも非周期的ＣＳＩ−ＲＳが送信されないことを前提とする。いくつかの実施形態において、ＬＴＥ（ｌｏｎｇ  ｔｅｒｍ  ｅｖｏｌｕｔｉｏｎ）通信システムにおいて、ダウンリンク制御チャネルは拡張物理ダウンリンク制御チャネルであるＥＰＤＣＣＨであり、ダウンリンク制御チャネルメッセージはＥＰＤＣＣＨメッセージである。
【０１６１】
いくつかの実施形態において、ダウンリンク制御チャネルとチャネル状態情報リファレンス信号である非周期的ＣＳＩ−ＲＳとの間の衝突を回避する、ように構成されるワイヤレスデバイスが提供される。ワイヤレスデバイスは、ダウンリンク制御チャネルセットでワイヤレスデバイスを構成するためのシグナリングをネットワークノードから受信する、ように構成されるダウンリンク制御チャネルセット構成受信機モジュールを含む。ワイヤレスデバイスは、ネットワークノードから受信したシグナリングに従ってダウンリンク制御チャネルセットでワイヤレスデバイスを構成する、ように構成されるダウンリンク制御チャネルセット構成モジュールをさらに含む。ワイヤレスデバイスは、サブフレームにおける非周期的ＣＳＩ−ＲＳの存在のインジケーションをネットワークノードから物理制御チャネル上で受信する、ように構成される非周期的ＣＳＩ−ＲＳインジケーション受信機モジュールをさらに含む。ワイヤレスデバイスは、非周期的ＣＳＩ−ＲＳがダウンリンク制御チャネルセット内に含まれる物理レイヤリソース内には存在しないという前提に基づいて非周期的ＣＳＩ−ＲＳを受信する、ように構成される非周期的ＣＳＩ−ＲＳ受信機モジュールをさらに含む。
【０１６２】
いくつかの実施形態において、ネットワークノードにおける方法が提供される。その方法は、非周期的ＣＳＩ−ＲＳを含まないダウンリンク制御チャネルセットでワイヤレスデバイスを構成するようにワイヤレスデバイスにシグナリングすることを含む。上記方法は、ダウンリンク制御チャネルセット内に含まれる物理レイヤリソース内に非周期的ＣＳＩ−ＲＳが存在しないことをワイヤレスデバイスが前提とすることができるように、ダウンリンクチャネルにおける非周期的ＣＳＩ−ＲＳの存在をワイヤレスデバイスにシグナリングすることをさらに含む。
【０１６３】
いくつかの実施形態において、ネットワークノードは、サブフレームにおいて、ワイヤレスデバイスに対して構成されたダウンリンク制御チャネルセットに対応する物理リソースブロックであるＰＲＢ内で非周期的ＣＳＩ−ＲＳをワイヤレスデバイスへ送信しない。いくつかの実施形態において、ネットワークノードはサブフレームにおける非周期的ＣＳＩ−ＲＳの存在を指し示し、ワイヤレスデバイスは、非周期的ＣＳＩ−ＲＳがダウンリンク制御チャネルセットに存在しないことを前提としない。いくつかの実施形態において、ネットワークノードはサブフレームにおける非周期的ＣＳＩ−ＲＳの存在を指し示し、そのサブフレームにおいて、ダウンリンク制御チャネルセットに対応する全てのリソースエレメント内で非周期的ＣＳＩ−ＲＳを送信する。
【０１６４】
いくつかの実施形態において、ネットワークノードが提供される。ネットワークノードは、非周期的ＣＳＩ−ＲＳを含まないダウンリンク制御チャネルセットでワイヤレスデバイスを構成するようにワイヤレスデバイスにシグナリングする、ように構成される処理回路を含む。送受信機は、ダウンリンク制御チャネルセット内に含まれる物理リソースブロックに非周期的ＣＳＩ−ＲＳが存在しないことをワイヤレスデバイスが前提とすることができるように、ダウンリンクチャネルにおける非周期的ＣＳＩ−ＲＳの存在をワイヤレスデバイスにシグナリングする、ように構成される。
【０１６５】
いくつかの実施形態において、ネットワークノードは、サブフレームにおいて、ワイヤレスデバイスに対して構成されたダウンリンク制御チャネルセットに対応する物理リソースブロックであるＰＲＢ内で非周期的ＣＳＩ−ＲＳをワイヤレスデバイスへ送信しない。いくつかの実施形態において、ネットワークノードはサブフレームにおける非周期的ＣＳＩ−ＲＳの存在を指し示し、ワイヤレスデバイスは、非周期的ＣＳＩ−ＲＳがダウンリンク制御チャネルセットに存在しないことを前提としない。いくつかの実施形態において、ネットワークノードはサブフレームにおける非周期的ＣＳＩ−ＲＳの存在を指し示し、そのサブフレームにおいて、ダウンリンク制御チャネルセットに対応する全てのリソースエレメント内で非周期的ＣＳＩ−ＲＳを送信する。
【０１６６】
いくつかの実施形態において、ネットワークノードが提供される。ネットワークノードは、非周期的ＣＳＩ−ＲＳを含まないダウンリンク制御チャネルセットでワイヤレスデバイスを構成するようにワイヤレスデバイスにシグナリングする、ように構成される送受信機モジュールを含む。送受信機モジュールは、ダウンリンク制御チャネルセット内に含まれる物理レイヤリソース内に非周期的ＣＳＩ−ＲＳが存在しないことをワイヤレスデバイスが前提とすることができるように、ダウンリンクチャネルにおけるサブフレーム内の非周期的ＣＳＩ−ＲＳの存在をワイヤレスデバイスにシグナリングする、ようにさらに構成される。
【０１６７】
いくつかの実施形態において、非周期的ＣＳＩ−ＲＳの存在のインジケーションは、サブフレーム又はスロットのうちの一方に非周期的ＣＳＩ−ＲＳが存在することを指し示す。いくつかの実施形態において、非周期的ＣＳＩ−ＲＳの存在のインジケーションは、予め決定される数のＯＦＤＭシンボルに非周期的ＣＳＩ−ＲＳが存在することを指し示す。
【０１６８】
いくつかの実施形態において、非周期的ＣＳＩ−ＲＳは、少なくともいくつかの定義される条件において物理レイヤリソース内で送信されることができる。
【０１６９】
当業者には理解されるように、ここで説明した概念は、方法、データ処理システム及び／又はコンピュータプログラムとして具現化されてもよい。したがって、ここで説明した概念は、完全にハードウェアの実施形態、完全にソフトウェアの実施形態又はソフトウェアの態様とハードウェアの態様とを組み合わせた実施形態の形態をとってもよく、それらは全て、ここでは概して“回路”又は“モジュール”と呼ばれる。さらに、本発明は、コンピュータにより実行可能な媒体内に具現化されたコンピュータプログラムコードを有する有形のコンピュータ使用可能な記憶媒体上のコンピュータプログラムの形態をとってもよい。ハードディスク、ＣＤ−ＲＯＭ、電子記憶デバイス、光記憶デバイス又は磁気記憶デバイスを含む任意の適切な有形のコンピュータ読取可能な媒体が使用されてもよい。
【０１７０】
方法、システム及びコンピュータプログラムのフローチャート及び／又はブロック図を参照して、いくつかの実施形態がここで説明されている。フローチャート及び／又はブロック図の各ブロック、並びにフローチャート及び／又はブロック図のブロックの組み合わせは、コンピュータプログラム命令により実現可能であることが理解されるであろう。これらコンピュータプログラム命令は、コンピュータ又は他のプログラム可能データ処理装置のプロセッサを介して稼働するこれらの命令がフローチャート及び／又はブロック図の１つ又は複数のブロックにおいて指定される機能／動作を実現する手段を形成するように機械を製造するために、汎用コンピュータ、専用コンピュータ又は他のプログラム可能なデータ処理装置のプロセッサに提供されてもよい。
【０１７１】
また、これらのコンピュータプログラム命令は、コンピュータ読取可能なメモリに記憶されたこれらの命令がフローチャート及び／又はブロック図の１つ又は複数のブロックにおいて指定される機能／動作を実現する命令手段を含む製品を生み出すように、コンピュータ又は他のプログラム可能なデータ処理装置に固有の方法で機能するように指示できるコンピュータ読取可能なメモリ又は記憶媒体に記憶されてもよい。
【０１７２】
また、コンピュータ又は他のプログラム可能な装置上で稼働するコンピュータプログラム命令がフローチャート及び／又はブロック図の１つ又は複数のブロックにおいて指定される機能／動作を実現するためのステップを提供するように、コンピュータプログラム命令は、一連の動作ステップがコンピュータ又は他のプログラム可能な装置上で実行されてコンピュータにより実現される処理を生み出すために、コンピュータ又は他のプログラム可能なデータ処理装置にロードされてもよい。
【０１７３】
ブロックに示される機能／動作は、動作図に示される順序とは異なる順序で行われてもよいことが理解されるべきである。例えば、連続して示される２つのブロックは、実際は、関係する機能性／動作に依存して、ほぼ同時に実行されてもよく又は場合によっては逆の順序で実行されてもよい。一部の図は通信の主方向を示すために通信経路上に矢印を含むが、通信は図示される矢印と逆方向に行なわれてもよいことが理解されるべきである。
【０１７４】
ここで説明した概念の動作を実行するためのコンピュータプログラムコードは、Ｊａｖａ（登録商標）又はＣ＋＋等のオブジェクト指向プログラミング言語で書かれてもよい。しかし、本発明の動作を実行するためのコンピュータプログラムコードは、“Ｃ”プログラミング言語等の従来の手続き型プログラミング言語で書かれてもよい。プログラムコードは、全体的にユーザのコンピュータ上で稼働してもよく、部分的にユーザのコンピュータ上で稼働してもよく、スタンドアロンソフトウェアパッケージとして稼働してもよく、部分的にユーザのコンピュータ上で稼働し且つ部分的にリモートコンピュータ上で稼働してもよく、あるいは全体的にリモートコンピュータ上で稼働してもよい。後者の場合、リモートコンピュータは、ローカルエリアネットワーク（ＬＡＮ）又はワイドエリアネットワーク（ＷＡＮ）を介してユーザのコンピュータへ接続されてもよく、あるいは外部コンピュータへの接続が行われてもよい（例えば、インターネットサービスプロバイダを使用してインターネットを介して）。
【０１７５】
上記の説明及び図面に関連して、多くの異なる実施形態を本明細書において開示した。これらの実施形態の組み合わせ及び部分的組み合わせの全てを文字通りに説明及び図示することは、過度に繰り返しが多くなり、わかりにくくなることが理解されるであろう。したがって、全ての実施形態は何らかの方法及び／又は組み合わせで組み合わせられてよく、図面を含む本明細書は、本明細書に記載の実施形態の全ての組み合わせ及び部分的組み合わせ、並びにそれらを作成し及び使用する方法並びに処理の完全な書面による説明を構成すると解釈され、また、あらゆるそのような組み合わせ又は部分的組み合わせに対する特許請求の範囲をサポートするものとする。
【０１７６】
本明細書に記載の実施形態は、本明細書中で上記で特に図示及び説明されたものに限定されないことが当業者には理解されるであろう。さらに、特に上記で言及されていない限り、添付の図面の全てが一定の縮尺ではないことが留意されるべきである。添付の特許請求の範囲から逸脱することなく、上記の教示から様々な変更及び変形が可能である。
【図１】
0006952769.tif 000005
【図２】
0006952769.tif 000006
【図３】
0006952769.tif 000007
【図４】
0006952769.tif 000008
【図５】
0006952769.tif 000009
【図６】
0006952769.tif 000010
【図７】
0006952769.tif 000011
【図８】
0006952769.tif 000012
【図９】
0006952769.tif 000013
【図１０】
0006952769.tif 000014
【図１１】
0006952769.tif 000015
【図１２】
0006952769.tif 000016
【図１３】
0006952769.tif 000017
【図１４】
0006952769.tif 000018
【図１５】
0006952769.tif 000019
【図１６】
0006952769.tif 000020
【図１７】
0006952769.tif 000021
【図１８】
0006952769.tif 000022
【図１９】
0006952769.tif 000023
【図２０】
0006952769.tif 000024
【図２１】
0006952769.tif 000025
【図２２】
0006952769.tif 000026
【図２３】
0006952769.tif 000027
【図２４】
0006952769.tif 000028